(57)【特許請求の範囲】
【請求項１】
ユーザ機器（ＵＥ）が通信セッションのシステム間転送を開始するための方法であって、
第１のテクノロジタイプのネットワークおよび第２のテクノロジタイプのネットワークからの通信を聞くことと、ここにおいて、前記第１のテクノロジタイプのネットワークおよび前記第２のテクノロジタイプのネットワークは異なるテクノロジを備える、
前記第１のテクノロジタイプのネットワークと回線交換セッションを確立することと、
前記第２のテクノロジタイプのネットワークのサービングノードとパケット交換セッションを確立することと、
前記パケット交換セッションを、前記第１のテクノロジタイプのネットワークのターゲットノードに転送するように決定することと、
前記転送を達成するために、前記ターゲットノードに前記サービングノードから前記パケット交換セッションについての情報を取り出させるように、前記ユーザ機器によって、メッセージを前記ターゲットノードに送信することと、ここにおいて、前記メッセージを前記ターゲットノードに送信することは、前記パケット交換セッションの転送だけを引き起こす、
前記パケット交換セッションの転送後に前記第１のテクノロジタイプのネットワークと前記回線交換セッションを維持することと、
を備える方法。
【請求項２】
前記メッセージを前記ターゲットノードに送信することは、測定報告を前記サービングノードに送信する代わりに行われる、請求項１に記載の方法。
【請求項３】
前記メッセージを前記ターゲットノードに送信することは、エリア更新メッセージを送信することをさらに備える、請求項１に記載の方法。
【請求項４】
前記エリア更新メッセージを送信することは、サービング・汎用パケット無線サービス（ＧＰＲＳ）サポートノード（ＳＧＳＮ）に向けられたルーティングエリア更新（ＲＡＵ）メッセージを送信することをさらに備える、請求項３に記載の方法。
【請求項５】
前記ＲＡＵメッセージは、さらに、前記ＳＧＳＮに、モビリティ管理エンティティ（ＭＭＥ）から前記パケット交換セッションについての情報を取り出させる、請求項４に記載の方法。
【請求項６】
前記エリア更新メッセージを送信することは、モビリティ管理エンティティ（ＭＭＥ）に向けられたターゲットエリア更新（ＴＡＵ）メッセージを送信することをさらに備える、請求項３に記載の方法。
【請求項７】
前記ＴＡＵメッセージは、さらに、前記ＭＭＥに、サービング・汎用パケット無線サービス（ＧＰＲＳ）サポートノード（ＳＧＳＮ）から前記パケット交換セッションについての情報を取り出させる、請求項６に記載の方法。
【請求項８】
前記パケット交換セッションを切断するためのコマンドを前記サービングノードに送信することをさらに備える、請求項１に記載の方法。
【請求項９】
前記パケット交換セッションを切断するためのコマンドを前記サービングノードに送信することは、前記ターゲットノードに前記メッセージを送信する前または後のいずれかで前記コマンドを送信することをさらに備える、請求項８に記載の方法。
【請求項１０】
前記サービングノードに前記コマンドを送信することは、接続終了を達成する原因コードを有する無線リソース制御（ＲＲＣ）接続リリースメッセージ、または、非アクセス層（ＮＡＳ）メッセージを送信することをさらに備える、請求項８に記載の方法。
【請求項１１】
前記ターゲットノードおよび前記サービングノードは、前記第１のテクノロジタイプのネットワークおよび前記第２のテクノロジタイプのネットワークのうちの異なるネットワークに存在し、前記第１のテクノロジタイプのネットワークおよび前記第２のテクノロジタイプのネットワークからの通信を聞くことは、同時に各テクノロジタイプのネットワークを聞くことをさらに備える、請求項１に記載の方法。
【請求項１２】
前記転送の後に前記ターゲットノードと前記パケット交換セッションを継続することをさらに備える、請求項１に記載の方法。
【請求項１３】
前記第１のテクノロジタイプのネットワークおよび前記第２のテクノロジタイプのネットワークは、ユニバーサル・モバイル通信システム（ＵＭＴＳ）タイプのネットワークおよびロングタームエボリューション（ＬＴＥ）タイプのネットワークから構成されるグループから選択される、請求項１に記載の方法。
【請求項１４】
前記第１のテクノロジタイプのネットワークおよび前記第２のテクノロジタイプのネットワークは、ユニバーサル地上無線アクセスネットワーク(ＵＴＲＡＮ)タイプのネットワーク、進化した地上無線アクセスネットワーク（Ｅ−ＵＴＲＡＮ）タイプのネットワーク、および、移動通信用のグローバル・システム（ＧＳＭ）発展のためのＧＳＭ拡張データレート（ＥＤＧＥ）・無線アクセスネットワーク（ＧＥＲＡＮ）タイプのネットワークから構成されるグループから選択される、請求項１に記載の方法。
【請求項１５】
ユーザ機器（ＵＥ）が通信セッションのシステム間転送を開始するためのプロセッサであって、
第１のテクノロジタイプのネットワークおよび第２のテクノロジタイプのネットワークからの通信を聞くための第１のプロセッサモジュールと、ここにおいて、前記第１のテクノロジタイプのネットワークおよび前記第２のテクノロジタイプのネットワークは異なるテクノロジを備える、
前記第１のテクノロジタイプのネットワークと回線交換セッションを確立するための第２のプロセッサモジュールと、
前記第２のテクノロジタイプのネットワークのサービングノードとパケット交換セッションを確立するための第３のプロセッサモジュールと、
前記パケット交換セッションを、前記第１のテクノロジタイプのネットワークのターゲットノードに転送することを決定するための第４のプロセッサモジュールと、
前記転送を達成するために、前記ターゲットノードに前記サービングノードから前記パケット交換セッションについての情報を取り出させるように、前記ユーザ機器によって、メッセージを前記ターゲットノードに送信するための第５のプロセッサモジュールと、ここにおいて、前記メッセージは、前記パケット交換セッションの転送だけを引き起こす、
前記パケット交換セッションの転送後に前記第１のテクノロジタイプのネットワークと前記回線交換セッションを維持するための第６のプロセッサモジュールと、
を備えるプロセッサ。
【請求項１６】
前記第５のプロセッサモジュールは、測定報告を前記サービングノードに送信する代わりに、前記メッセージを前記ターゲットノードに送信する、請求項１５に記載のプロセッサ。
【請求項１７】
前記メッセージは、エリア更新メッセージを備える、請求項１５に記載のプロセッサ。
【請求項１８】
前記転送の後に前記ターゲットノードと前記パケット交換セッションを継続するために第６のプロセッサモジュールをさらに備える、請求項１５に記載のプロセッサ。
【請求項１９】
前記第１のテクノロジタイプのネットワークおよび前記第２のテクノロジタイプのネットワークは、ユニバーサル・モバイル通信システム（ＵＭＴＳ）タイプのネットワークおよびロングタームエボリューション（ＬＴＥ）タイプのネットワークから構成されるグループから選択される、請求項１５に記載のプロセッサ。
【請求項２０】
ユーザ機器（ＵＥ）が通信セッションのシステム間転送を開始するためのコンピュータ可読記憶媒体であって、
コンピュータに、第１のテクノロジタイプのネットワークおよび第２のテクノロジタイプのネットワークからの通信を聞かせるように動作可能な少なくとも１つの命令と、ここにおいて、前記第１のテクノロジタイプのネットワークおよび前記第２のテクノロジタイプのネットワークは異なるテクノロジを備える、
前記コンピュータに、前記第１のテクノロジタイプのネットワークと回線交換セッションを確立させるように動作可能な少なくとも１つの命令と、
前記コンピュータに、前記第２のテクノロジタイプのネットワークのサービングノードとパケット交換セッションを確立させるように動作可能な少なくとも１つの命令と、
前記コンピュータに、前記パケット交換セッションを、前記第１のテクノロジタイプのネットワークのターゲットノードに転送するように決定させるように動作可能な少なくとも１つの命令と、
前記転送を達成するために、前記ターゲットノードに前記サービングノードから前記パケット交換セッションについての情報を取り出させるように、前記コンピュータに、前記ユーザ機器によって、メッセージを前記ターゲットノードに送信させるように動作可能な少なくとも１つの命令と、ここにおいて、前記メッセージは、前記パケット交換セッションの転送だけを引き起こす、
前記コンピュータに、前記パケット交換セッションの転送後に前記第１のテクノロジタイプのネットワークと前記回線交換セッションを維持させるように動作可能な少なくとも１つの命令と、
を備える、コンピュータ可読記憶媒体。
【請求項２１】
前記コンピュータに、前記メッセージを送信させるように動作可能な少なくとも１つの命令は、測定報告を前記サービングノードに送信する代わりに、前記ターゲットノードへの前記メッセージの送信を引き起こす、請求項２０に記載のコンピュータ可読記憶媒体。
【請求項２２】
前記メッセージは、エリア更新メッセージを備える、請求項２０に記載のコンピュータ可読記憶媒体。
【請求項２３】
前記コンピュータに、前記転送の後に前記ターゲットノードと前記パケット交換セッションを継続させるように動作可能な少なくとも１つの命令をさらに備える、請求項２０に記載のコンピュータ可読記憶媒体。
【請求項２４】
前記第１のテクノロジタイプのネットワークおよび前記第２のテクノロジタイプのネットワークは、ユニバーサル・モバイル通信システム（ＵＭＴＳ）タイプのネットワークおよびロングタームエボリューション（ＬＴＥ）タイプのネットワークから構成されるグループから選択される、請求項２０に記載のコンピュータ可読記憶媒体。
【請求項２５】
通信セッションのシステム間転送を開始するためのユーザ機器（ＵＥ）であって、
第１のテクノロジタイプのネットワークおよび第２のテクノロジタイプのネットワークからの通信を聞くための手段と、ここにおいて、前記第１のテクノロジタイプのネットワークおよび第２のテクノロジタイプのネットワークは異なるテクノロジを備える、
前記第１のテクノロジタイプのネットワークと回線交換セッションを確立するための手段と、
前記第２のテクノロジタイプのネットワークのサービングノードとパケット交換セッションを確立するための手段と、
前記パケット交換セッションを、前記第１のテクノロジタイプのネットワークのターゲットノードに転送することを決定するための手段と、
前記転送を達成するために、前記ターゲットノードに前記サービングノードから前記パケット交換セッションについての情報を取り出させるように、メッセージを前記ターゲットノードに送信するための手段と、ここにおいて、前記メッセージは、前記パケット交換セッションの転送だけを引き起こす、
前記パケット交換セッションの転送後に前記第１のテクノロジタイプのネットワークと前記回線交換セッションを維持するための手段と、
を備えるＵＥ。
【請求項２６】
前記メッセージをターゲットノードに送信するための手段は、測定報告を前記サービングノードに送信する代わりに、前記ターゲットノードへの前記メッセージの送信を引き起こす、請求項２５に記載のＵＥ。
【請求項２７】
前記メッセージは、エリア更新メッセージを備える、請求項２５に記載のＵＥ。
【請求項２８】
前記転送の後に前記ターゲットノードと前記パケット交換セッションを継続するための手段をさらに備える、請求項２５に記載のＵＥ。
【請求項２９】
前記第１のテクノロジタイプのネットワークおよび前記第２のテクノロジタイプのネットワークは、ユニバーサル・モバイル通信システム（ＵＭＴＳ）タイプのネットワークおよびロングタームエボリューション（ＬＴＥ）タイプのネットワークから構成されるグループから選択される、請求項２５に記載のＵＥ。
【請求項３０】
通信セッションのシステム間転送を開始するためのユーザ機器（ＵＥ）であって、
第１のテクノロジタイプのネットワークおよび第２のテクノロジタイプのネットワークからの通信を聞く受信機システムと、ここにおいて、前記第１のテクノロジタイプのネットワークおよび前記第２のテクノロジタイプのネットワークは異なるテクノロジを備える、
前記第１のテクノロジタイプのネットワークと回線交換セッションを確立し、前記第２のテクノロジタイプのネットワークのサービングノードとパケット交換セッションを確立するするプロセッサと、
前記パケット交換セッションを、前記第１のテクノロジタイプのネットワークのターゲットノードに転送することを決定するシステム間転送コンポーネントと、
前記転送を達成するために、前記ターゲットノードに前記サービングノードから前記パケット交換セッションについての情報を取り出させるように、メッセージを前記ターゲットノードに送信する送信機と、ここにおいて、前記メッセージは、前記パケット交換セッションの転送だけを引き起こし、
前記プロセッサは、さらに、前記パケット交換セッションの転送後に前記第１のテクノロジタイプのネットワークと前記回線交換セッションを維持するように構成される、
を備えるＵＥ。
【請求項３１】
前記システム間転送コンポーネントは、測定報告を前記サービングノードに送信する代わりに、前記ターゲットノードへの前記メッセージの送信を開始する、請求項３０に記載のＵＥ。
【請求項３２】
前記メッセージは、エリア更新メッセージをさらに備える、請求項３０に記載のＵＥ。
【請求項３３】
前記エリア更新メッセージは、サービング・汎用パケット無線サービス（ＧＰＲＳ）サポートノード（ＳＧＳＮ）に向けられたルーティングエリア更新（ＲＡＵ）メッセージをさらに備える、請求項３２に記載のＵＥ。
【請求項３４】
前記ＲＡＵメッセージは、さらに、前記ＳＧＳＮに、モビリティ管理エンティティ（ＭＭＥ）から前記パケット交換セッションについての情報を取り出させる、請求項３３に記載のＵＥ。
【請求項３５】
前記エリア更新メッセージは、モビリティ管理エンティティ（ＭＭＥ）に向けられたターゲットエリア更新（ＴＡＵ）メッセージをさらに備える、請求項３２に記載のＵＥ。
【請求項３６】
前記ＴＡＵメッセージは、さらに、前記ＭＭＥに、サービング・汎用パケット無線サービス（ＧＰＲＳ）サポートノード（ＳＧＳＮ）から前記パケット交換セッションについての情報を取り出させる、請求項３５に記載のＵＥ。
【請求項３７】
前記システム間転送コンポーネントは、前記パケット交換セッションを切断するためのコマンドを前記サービングノードに送信するためのものである、請求項３０に記載のＵＥ。
【請求項３８】
前記システム間転送コンポーネントは、前記ターゲットノードに前記メッセージを送信する前または後のいずれかで前記コマンドを前記サービングノードに送信するためのものである、請求項３７に記載のＵＥ。
【請求項３９】
前記コマンドは、接続終了を達成する原因コードを有する無線リソース制御（ＲＲＣ）接続リリースメッセージ、または、非アクセス層（ＮＡＳ）メッセージのいずれかをさらに備える、請求項３７に記載のＵＥ。
【請求項４０】
前記ターゲットノードおよび前記サービングノードは、前記第１のテクノロジタイプのネットワークおよび前記第２のテクノロジタイプのネットワークのうちの異なるネットワークに存在し、前記第１のテクノロジタイプのネットワークおよび前記第２のテクノロジタイプのネットワークからの前記通信は、同時に各テクノロジタイプのネットワークから受信される、請求項３０に記載のＵＥ。
【請求項４１】
前記プロセッサは、前記転送の後に前記ターゲットノードと前記パケット交換セッションを継続する、請求項３０に記載のＵＥ。
【請求項４２】
前記第１のテクノロジタイプのネットワークおよび前記第２のテクノロジタイプのネットワークは、ユニバーサル・モバイル通信システム（ＵＭＴＳ）タイプのネットワークおよびロングタームエボリューション（ＬＴＥ）タイプのネットワークから構成されるグループから選択される、請求項３０に記載のＵＥ。
【請求項４３】
前記第１のテクノロジタイプのネットワークおよび前記第２のテクノロジタイプのネットワークは、ユニバーサル地上無線アクセスネットワーク（ＵＴＲＡＮ）タイプのネットワーク、進化した地上無線アクセスネットワーク（Ｅ−ＵＴＲＡＮ）タイプのネットワーク、および、移動通信用のグローバル・システム（ＧＳＭ）発展のためのＧＳＭ拡張データレート（ＥＤＧＥ）・無線アクセスネットワーク（ＧＥＲＡＮ）タイプのネットワークから構成されるグループから選択される、請求項３０に記載のＵＥ。
【発明の詳細な説明】
【米国特許法１１９条に基づく優先権の主張】
【０００１】
本出願は、本出願の譲受人に譲渡され、参照により本明細書に明確に組み込まれる、２０１０年２月３日に出願された「Method and Apparatus to Enable Inter System Handover of a Terminal with Simultaneous GERAN/UTRAN and E-UTRAN Radio Interfaces」と題する米国仮出願６１／３０１１４６号の優先権を主張する。
【技術分野】
【０００２】
記述される態様は無線通信に関し、さらに詳細には、異なるタイプの通信システム間でのパケット交換セッションの転送に関する。
【背景技術】
【０００３】
進化した地上無線アクセスネットワーク（Ｅ−ＵＴＲＡＮ（Evolved-Terrestrial Radio Access Network））は、パケット交換（ＰＳ）専用システムであり、回線交換（ＣＳ）ドメインには接続されない。そのため、Ｅ−ＵＴＲＡＮでは音声サービスが提供されない。Ｅ−ＵＴＲＡＮのユーザ機器（ＵＥ）に対して音声サービスを提供しようとする試みが多く存在している。それらは、例えば、単一無線音声通信接続（ＳＲＶＣＣ（single radio voice call continuity））、回線交換（ＣＳ）フォールバック（ＣＳＦＢ（Circuit Switched (CS) fall back））、汎用アクセスを介してのボイス・オーバ・ロングタームエボリューション（ＶｏＬＧＡ（Voice over Long Term Evolution (LTE) via Generic Access））を備えるインタネット・プロトコル（ＩＰ）マルチメディア・サブシステム（ＩＭＳ（Internet Protocol (IP) Multimedia Subsystem））を含む。これらの方法の各々は、ＵＥがＥ−ＵＴＲＡＮ無線インターフェースと、移動通信用のグローバル・システム（ＧＳＭ（登録商標））発展のためのＧＳＭ拡張データレート（ＥＤＧＥ）・無線アクセスネットワーク（ＧＥＲＡＮ（Global System for Mobile communications (ＧＳＭ) Enhanced Data rates for GSM Evolution (ＥＤＧＥ) Radio Access Network）/ ユニバーサル地上無線アクセスネットワーク(ＵＴＲＡＮ（Universal Terrestrial Radio Access Network）)無線インターフェースの両方を備えることを仮定するが、一度にそれらのうちの１つしかアクティブ化しない。
【０００４】
いくつかのＵＥは、Ｅ−ＵＴＲＡＮおよびＧＥＲＡＮ／ＵＴＲＡＮ無線インターフェースを同時にアクティブ化しうる。ＵＥが２つの受信機および２つの送信機を有し、ＵＥがＥ−ＵＴＲＡＮおよびＵＴＲＡＮ／ＧＥＲＡＮの両方のカバレッジ内にある場合、このＵＥは、ＣＳドメインのためにＵＴＲＡＮ／ＧＥＲＡＮに登録およびキャンプ（camp）し、ＰＳドメインのためにＥ−ＵＴＲＡＮに登録およびキャンプする。次に、ＵＥは、音声呼出およびＳＭＳのようなＣＳサービスに対してＵＴＲＡＮ／ＧＥＲＡＮを使用し、同時に、ＰＳサービスに対してＥ−ＵＴＲＡＮを使用しうる。
【０００５】
上述されたように、ＵＥがＥ−ＵＴＲＡＮカバレッジエリアから離れると問題が生じうる。この場合、ＵＥのＰＳサービスおよびセッションは、Ｅ−ＵＴＲＡＮからＵＴＲＡＮ／ＧＥＲＮＡに移動しなければならない。典型的に、ＵＥがＥ−ＵＴＲＡＮで接続モードにある場合、ＵＥのＰＳセッションを移動するために、Ｅ−ＵＴＲＡＮからＵＴＲＡＮ／ＧＥＲＡＮへのＰＳハンドオーバが実行される。しかしながら、ＵＴＲＡＮ内の無線ネットワークコントローラ（ＲＮＣ）またはＧＥＲＡＮ内の基地局コントローラ（ＢＳＣ）は、ＣＳサービスに対する接続を既に有するＵＥに対してＰＳハンドオーバ要求を処理するように装備されていない可能性がある。
【０００６】
さらに、ＵＥがＵＴＲＡＮ（ＣＳサービスのための）およびＥ−ＵＴＲＡＮ（ＰＳサービスのための）の両方においてアクティブである場合、並びに、ＵＥがＵＴＲＡＮ内の２つのＲＮＣからサービス提供され場合、例えば、ＵＥにサービス提供するためにＩｕｒインターフェースを使用して、２つのＲＮＣ（Ｓ−ＲＮＣおよびＤ−ＲＮＣ）がカスケード（cascade）される場合に、ネットワーク起動のＰＳハンドオーバを使用しようとすると問題が生じうる。この場合、Ｅ−ＵＴＲＡＮからＵＴＲＡＮへのＰＳハンドオーバが実行されると、ターゲットＵＴＲＡＮのｅノードＢ（enodeB）は、Ｓ−ＲＮＣではなく、Ｄ−ＲＮＣの下に存在しうる。ＵＥがＵＴＲＡＮにおいて既にアクティブであること、および、例えば、Ｄ−ＲＮＣなどのターゲットＵＴＲＡＮノードＢを制御するＲＮＣとは異なる、例えば、Ｓ−ＲＮＣなどのＲＮＣによってサービス提供されていること、をＥ−ＵＴＲＡＮが知らないため、Ｅ−ＵＴＲＡＮ（例えば、ｅノードＢ（eNode B））は、Ｄ−ＲＮＣへのＰＳハンドオーバをトリガする。ＵＴＲＡＮでは、１つのＲＮＣしかＵＥのＳ−ＲＮＣ（サービングＲＮＣ）として機能することができないため、ＵＥのＤ−ＲＮＣへのＰＳハンドオーバは失敗に終わり、定義されないネットワーク動作を引き起こすであろう。
【０００７】
このように、システム間ハンドオーバの性能および動作を改善することが望まれるであろう。
【発明の概要】
【０００８】
下記は、１または複数の態様の基本的な理解を提供するためにそのような態様の簡略化された概要を示す。この概要は企図される全ての態様の広範囲な概観ではなく、全ての態様のキーまたは不可欠な要素を識別することも、任意または全ての態様の範囲を描写することも意図しない。その唯一の目的は、後に示される、より詳細な記述への前置きとして、１または複数の態様のいくつかのコンセプトを簡易な形で提示することである。
【０００９】
ある態様において、ユーザ機器（ＵＥ）が通信セッションのシステム間転送を開始するための方法は、第１のテクノロジタイプのネットワークおよび第２のテクノロジタイプのネットワークから通信を聞くことを含み、第１のテクノロジタイプのネットワークおよび第２のテクノロジタイプのネットワークは、異なるテクノロジを含む。さらに、本方法は、第１のテクノロジタイプのネットワークと回線交換セッションを確立することと、第１のテクノロジタイプのネットワークまたは第２のテクノロジタイプのネットワークのうちの１つ目のネットワークのサービングノードとパケット交換セッションを確立することとを含む。さらに、本方法は、第１のテクノロジタイプのネットワークまたは第２のテクノロジタイプのネットワークのうちの２つ目のネットワークのターゲットノードにパケット交換セッションを転送することを決定することを含み、ターゲットノードおよびサービングノードは、異なるテクノロジタイプのネットワークに存在する。加えて、本方法は、ユーザ機器によってターゲットノードにメッセージを送信することを含み、このメッセージは、転送を達成するために、第１のテクノロジタイプのネットワークまたは第２のテクノロジタイプのネットワークのうちのターゲットノードに対応する１つに、第１のテクノロジタイプのネットワークまたは第２のテクノロジタイプのネットワークのうちのサービングノードに対応する１つからパケット交換セッションについての情報を取り出させるためのものである。
【００１０】
別の態様において、ユーザ機器（ＵＥ）が通信セッションのシステム間転送を開始するためのプロセッサは、第１のテクノロジタイプのネットワークおよび第２のテクノロジタイプのネットワークからの通信を聞くための第１のプロセッサモジュールを含み、第１のテクノロジタイプのネットワークと第２のテクノロジタイプのネットワークは異なるテクノロジを含む。さらに、プロセッサは、第１のテクノロジタイプのネットワークとの回線交換セッションを確立するための第２のプロセッサモジュール、および、第１のテクノロジタイプのネットワークまたは第２のテクノロジタイプのネットワークのうちの１つ目のネットワークのサービングノードとパケット交換セッションを確立するための第３のプロセッサモジュールを含む。さらに、プロセッサは、第１のテクノロジタイプのネットワークまたは第２のテクノロジタイプのネットワークのうちの２つ目のネットワークのターゲットノードにパケット交換セッションを転送することを決定するための第４のプロセッサモジュールを含み、ターゲットノードおよびサービングノードは異なるテクノロジタイプのネットワークに存在する。加えて、プロセッサは、ユーザ機器によってターゲットノードにメッセージを送信するための第５のプロセッサモジュールを含み、このメッセージは、転送を達成するために、第１のテクノロジタイプのネットワークまたは第２のテクノロジタイプのネットワークのうちのターゲットノードに対応する１つに、第１のテクノロジタイプのネットワークまたは第２のテクノロジタイプのネットワークのうちのサービングノードに対応する１つからパケット交換セッションについての情報を取り出させるためのものである。
【００１１】
別の態様において、ユーザ機器（ＵＥ）が通信セッションのシステム間転送を開始するためのコンピュータプログラムプロダクトは、コンピュータ可読媒体を含む。コンピュータ可読媒体は、コンピュータに、第１のテクノロジタイプのネットワークおよび第２のテクノロジタイプのネットワークからの通信を聞かせるように動作可能な少なくとも１つの命令を含み、第１のテクノロジタイプのネットワークおよび第２のテクノロジタイプのネットワークは、異なるテクノロジを含む。さらに、コンピュータ可読媒体は、コンピュータに、第１のテクノロジタイプのネットワークと回線交換セッションを確立させるように動作可能な少なくとも１つの命令と、コンピュータに、第１のテクノロジタイプのネットワークまたは第２のテクノロジタイプのネットワークのうちの１つ目のネットワークのサービングノードとパケット交換セッションを確立させるように動作可能な少なくとも１つの命令を含む。さらに、コンピュータ可読媒体は、コンピュータに、第１のテクノロジタイプのネットワークまたは第２のテクノロジタイプのネットワークのうちの２つ目のネットワークのターゲットノードへのパケット交換セッションの転送を決定させるように動作可能な少なくとも１つの命令を含み、ターゲットノードおよびサービングノードは、異なるテクノロジタイプのネットワークに存在する。加えて、コンピュータ可読媒体は、コンピュータに、ユーザ機器によってターゲットノードにメッセージを送信させるように動作可能な少なくとも１つの命令を含み、このメッセージは、転送を達成するために、第１のテクノロジタイプのネットワークまたは第２のテクノロジタイプのネットワークのうちのターゲットノードに対応する１つに、第１のテクノロジタイプのネットワークまたは第２のテクノロジタイプのネットワークのうちのサービングノードに対応する１つからパケット交換セッションについての情報を取り出させるためのものである。
【００１２】
さらに別の態様において、通信セッションのシステム間転送を開始するためのユーザ機器（ＵＥ）は、第１のテクノロジタイプのネットワークおよび第２のテクノロジタイプのネットワークらの通信を聞くための手段を含み、第１のテクノロジタイプのネットワークおよび第２のテクノロジタイプのネットワークは、異なるテクノロジを含む。さらに、ＵＥは、第１のテクノロジタイプのネットワークと回線交換セッションを確立するための手段と、第１のテクノロジタイプのネットワークまたは第２のテクノロジタイプのネットワークのうちの１つ目のネットワークのサービングノードとパケット交換セッションを確立するための手段とを含む。さらに、ＵＥは、第１のテクノロジタイプのネットワークまたは第２のテクノロジタイプのネットワークのうちの２つ目のネットワークのターゲットノードにパケット交換セッションを転送することを決定するための手段を含み、ターゲットノードおよびサービングノードは、異なるテクノロジタイプのネットワークに存在する。加えて、ＵＥは、ターゲットノードにメッセージを送信するための手段を含み、このメッセージは、転送を達成するために、第１のテクノロジタイプのネットワークまたは第２のテクノロジタイプのネットワークのうちのターゲットノードに対応する１つに、第１のテクノロジタイプのネットワークまたは第２のテクノロジタイプのネットワークのうちのサービングノードに対応する１つからパケット交換セッションについての情報を取り出させるためのものである。
【００１３】
別の態様において、通信セッションのシステム間転送を開始するためのユーザ機器（ＵＥ）は、第１のテクノロジタイプのネットワークおよび第２のテクノロジタイプのネットワークから通信を聞くための受信機システムを含み、第１のテクノロジタイプのネットワークおよび第２のテクノロジタイプのネットワークは、異なるテクノロジを含む。さらに、ＵＥは、第１のテクノロジタイプのネットワークと回線交換セッションを確立し、第１のテクノロジタイプのネットワークまたは第２のテクノロジタイプのネットワークのうちの１つ目のネットワークのサービングノードとパケット交換セッションを確立するためのプロセッサを含む。さらに、ＵＥは、第１のテクノロジタイプのネットワークまたは第２のテクノロジタイプのネットワークのうちの２つ目のネットワークのターゲットノードへのパケット交換セッションの転送を決定するためのシステム間転送コンポーネントを含み、ターゲットノードおよびサービングノードは、異なるテクノロジタイプのネットワークに存在する。加えて、ＵＥは、メッセージをターゲットノードに送信するための送信機を含み、このメッセージは、転送を達成するために、第１のテクノロジタイプのネットワークまたは第２のテクノロジタイプのネットワークのうちのターゲットノードに対応する１つに、第１のテクノロジタイプのネットワークまたは第２のテクノロジタイプのネットワークのうちのサービングノードに対応する１つからパケット交換セッションについての情報を取り出させるためのものである。
【００１４】
前述および関連した目標を達成するために、１または複数の態様は、以下に十分に記述され、特許請求の範囲で特に指摘される特徴を含む。下記の記述および添付の図は、１または複数の態様の特定の例示的な特徴を詳細に示す。しかしながら、これらの特徴は、様々な態様の原理が用いられうる様々な方法のうちのほんの一部しか示しておらず、この記述は、全てのそのような態様およびそれらの均等物を包含することが企図される。
【図面の簡単な説明】
【００１５】
開示される態様は、添付の図面と共に下記に記述され、開示される態様を限定するためではなく例証するために提供されるであろう。ここにおいて、同様の記号表示は、同様のエレメントを指す。
【図１】図１は、あるテクノロジタイプのネットワークから別のテクノロジタイプのネットワークへのパケット交換セッションの転送を開始するためのユーザ機器を含む通信システムの概略図である。
【図２】図２は、本明細書に記述されるように、パケット交換セッションの転送を実行するユーザ機器の態様の概略図である。
【図３】図３は、パケット交換セッションのユーザ機器起動の転送の方法の態様のフローチャートである。
【図４】図４は、通知セッションの転送を実行する方法の態様のメッセージフロー図である。
【図５】図５は、通信セッションの転送を実行する方法の別の態様のメッセージフロー図である。
【図６】図６は、通信セッションの転送を実行する装置の態様のブロック図である。
【詳細な説明】
【００１６】
図に関して様々な態様がここに記述される。下記の記述において、例示の目的のために、多数の特定な詳細が、１または複数の態様の徹底的な理解を提供するために示される。しかしながら、そのような態様が、これらの特定の詳細なしに実施されうることは明白でありうる。
【００１７】
記述される態様は、通信セッションのシステム間転送および継続に関し、より詳細には、確立された回線交換セッションを維持すると同時にユーザ機器がパケット交換セッションの転送を開始するための装置および方法に関する。ある態様において、ユーザ機器は、２つのネットワークから、いくつかの態様では、時間の少なくとも一部が実質的に同じ時間にまたは同時に信号を聞くこと、および、受信すること、並びに、２つのネットワークの片方または両方に送信すること、いくつかの態様では、実質的に同じ時間にまたは同時に両方のネットワークに送信することが可能でありうる。換言すると、ユーザ機器は、第１のネットワークから送信および／または受信するための第１のインターフェースと、第２のネットワークから送信および／または受信するための第２のインターフェースとを有するデバイスであるデュアル通信インターフェースデバイスでありうる。いくつかの態様において、通信のために第１のインターフェースおよび第２のインターフェースを備えるデバイスは、多入力単一出力（ＭＩＳＯ）システムまたは多入力多出力（ＭＩＭＯ）システムと呼ばれうる。ユーザ機器は、回線交換セッションおよびパケット交換セッションの両方を確立し、その各々は、同一のネットワークあるいは異なるネットワークとでありうる。記述される態様において、ネットワーク始動のパケット交換ハンドオーバをトリガするであろう、受信信号強度測定報告を２つのネットワークのうちのサービングネットワークに送ることよりはむしろ、本明細書の装置および方法は、代わりに、エリア更新メッセージを２つのネットワークのうちのターゲットネットワークに送りうる。換言すると、ターゲットネットワークは、パケット交換セッションの転送を受信するためのネットワークであり、サービングネットワークは、現在パケット交換セッションを提供している、２つのネットワークのうちの１つであり、それはさらにパケット交換セッション情報を維持する。エリア更新メッセージは、ターゲットネットワークに、サービングネットワークからパケット交換セッションについての情報を取り出させ、それによって、ターゲットネットワーク上でのパケット交換セッションの転送とパケット交換セッションの継続を可能にする。さらに、本装置および方法は、ユーザ機器起動の転送に基づいてパケット交換セッションを終了させるために、終了メッセージをサービングネットワークに送ることをオプションとして含みうる。
【００１８】
記述される装置および方法は、特に、例えば、ロングタームエボリューション（ＬＴＥ（a Long Term Evolution））タイプのネットワークと、ユニバーサル・モバイル通信システム（ＵＭＴＳ（Universal Mobile Telecommunications System））タイプのネットワークとの間のデュアル通信インターフェースデバイスのためのパケット交換セッションの転送に関連性がある。特に、ＬＴＥタイプのネットワークがパケット交換セッションしかサポートしえない場合、ネットワーク始動の（例えば、受信信号強度測定報告に基づく）パケット交換ハンドオーバは、回線交換セッションを既に有するネットワークへ、または、このネットワークからであり、それは、予想できないネットワーク動作を引き起こしうる。
【００１９】
例えば、ネットワーク動作は、ＵＭＴＳネットワークがユーザ機器に対して確立された回線交換セッションを既に有する状況において、ＬＴＥタイプのネットワークからＵＭＴＳタイプのネットワークに移動しているユーザ機器が、ＬＴＥネットワークに、ＵＭＴＳネットワークへのパケット交換ハンドオーバを開始させる、測定報告を、サービングＬＴＥネットワークに送る場合、予想不可能でありうる。換言すると、ネットワーク動作は、例えば、ＬＴＥタイプのネットワークとＵＭＴＳタイプのネットワークなどの２つの異なるタイプのネットワーク上に同時に確立された別個のパケット交換および回線交換セッションを有しうるデュアル通信インターフェースデバイスの責任を負う（account for）ように確立されない可能性がある。
【００２０】
記述された態様は、例えば、パケット交換セッションを現在サポートしているネットワークのようなサービングネットワークに測定報告を送る代わりに、例えば、転送されたパケット交換セッションを受信すべきネットワークのようなターゲットネットワークにエリア更新メッセージを送ることによって、ネットワーク始動のパケット交換ハンドオーバ手順をトリガすることを回避する。エリア更新メッセージは、ターゲットネットワークに、サービングネットワークから対応するセッション情報を取り出させ、それによって、ターゲットネットワーク上でのパケット交換セッションの転送および継続を可能にすることによって、パケット交換セッションの転送を達成する。このように、記述された態様は、サービングネットワークとの回線交換セッションを維持すると同時に、ターゲットネットワークへのパケット交換セッションの転送を求めるデュアル通信インターフェースデバイスに対して既知のネットワーク動作を生成する。
【００２１】
図１について、通信システム１００は、ＵＭＴＳ／移動通信のためのグローバル・システム（ＧＳＭ）ネットワークのような第１のテクノロジタイプのネットワーク１２０、および、ＬＴＥネットワークのような第２のテクノロジタイプのネットワーク１４０の両方と通信的に結合されるか、あるいは、そのようなネットワークの両方からの信号を少なくとも同時に受信することができるユーザ機器（ＵＥ）１６０を含む。本明細書で使用される場合、ＵＭＴＳ／ＧＳＭは、ＵＭＴＳまたはＧＳＭテクノロジのいずれかを使用するネットワークを指す。ＵＭＴＳ／ＧＳＭネットワーク１２０は、モバイル切換センタ（ＭＳＣ）１２４およびサービング・汎用パケット無線サービス（ＧＰＲＳ（General Packet Radio Service））サポートノード（ＳＧＳＮ）１２６を含むコアサービスノード１２２を含む。ＵＭＴＳ／ＧＳＭネットワークは、さらに、サービングＲＮＣ（Ｓ−ＳＮＣ）およびドリフトＲＮＣ（Ｄ−ＲＮＣ）のような１または複数の無線ネットワークコントローラ（ＲＮＣ）１３０、１３２および１または複数のノードＢ １３４、１３６を含むユニバーサル地上無線アクセスネットワーク(ＵＴＲＡＮ)／ＧＳＭ発展のためのＧＳＭ拡張データレート（ＥＤＧＥ）・無線アクセスネットワーク（ＧＥＲＡＮ（GSM Enhanced Data rates for GSM Evolution (EDGE) Radio Access Network））１２８を含む。ＵＭＴＳネットワーク実施の場合、ＵＴＲＡＮが提供され、ＧＳＭネットワーク実施の場合、ＧＥＲＡＮが提供される。
【００２２】
ＬＴＥネットワーク１４０は、モビリティ管理エンティティ（ＭＭＥ(Mobility Management Entity)）１４４およびサービング／ＰＤＮ（パケットデータネットワーク（Packet Data Network））ゲートウェイ（Ｓ／Ｐ−ＧＷ）１４６を有しうる発展型パケットコア（evolved packet core）１４２を含みうる。ＬＴＥネットワーク１４０は、さらに、１または複数のｅノードＢ（ｅＮｏｄｅＢ） １５０を含む進化したＵＴＲＡＮ（evolved ＵＴＲＡＮ）（ｅ−ＵＴＲＡＮ）１４８を含みうる。ＬＴＥは、パケット交換（「ＰＳ」とも呼ばれうる）専用ネットワークであり、回線交換（「ＣＳ」とも呼ばれうる）通信をサポートしない可能性がある。ＵＴＲＡＮ／ＧＥＲＡＮは、パケット交換および回線交換通信の両方に対して機能を提供しうる。
【００２３】
ＵＭＴＳ／ＧＳＭネットワーク１２０およびＬＴＥネットワーク１４０は、例えば、バックホール通信リンク１５２を介して通信しうる。例えば、ある態様において、通信リンク１５２は、ＵＭＴＳ／ＧＳＭネットワーク１２０のＳＧＳＮ １２６と、ＬＥＴネットワーク１４０のＭＭＥ １４４との通信を可能にしうる。
【００２４】
ある態様において、ＵＥ １６０は、例えば、ＵＭＴＳ／ＧＳＭネットワークのような第１のテクノロジタイプのネットワーク１２０、および、例えば、ＬＴＥネットワークのような異なる第２のテクノロジタイプのネットワーク１４０からの通信を聞き、かつ、受信することができるデュアル通信インターフェースデバイスでありうる。いくつかの態様において、例えば、ＵＥ １６０は、少なくとも時間の一部で、実質的に同じ時間に、例えば、同時に、両方のネットワークからの通信を聞くことができる。例えば、両方のネットワークからの通信は、実質的に同じ時間で、少なくとも部分的に、ＵＥ １６０によって受信されうる個別の通信または信号でありうる。例えば、通信または信号は、ネットワーク発見、ネットワーク捕捉、あるいは、回線交換セッション１６２および／またはパケット交換セッション１６４の確立および管理のうちの１または複数に関連しうる。そういうものとして、ＵＥ １６０は、第１のテクノロジタイプのネットワーク１２０との回線交換セッション１６２を有し、同時に、例えば、第１のテクノロジタイプのネットワーク１２０または第２のテクノロジタイプのネットワーク１４０のうちの１つ目のネットワークの、例えば、ノードＢ １３２、１３４またはｅノードＢ １５０などのサービングノードとのパケット交換セッション１６４を有しうる。
【００２５】
さらに、ある態様において、ＵＥ １６０は、例えば、ターゲットノードが、ネットワークのうちのサービングノードとは異なるネットワークにある場合に、第１のネットワーク１２０と第２のネットワーク１４０との間でＰＳセッション１６４を転送するためのＵＥ始動の能力をシステム１００に提供しうるシステム間転送コンポーネント１７０を含みうる。ある態様において、例えば、システム間転送コンポーネント１７０は、パケット交換セッション１６４を、例えば、第１のテクノロジタイプのネットワーク１２０または第２のテクノロジタイプのネットワーク１４０のうちの２つ目のネットワークのノードＢ １３２、１３４、または、ｅノードＢ １５０などのターゲットノードに転送することを決定する。ここにおいて、その複数のネットワークのうちの２つ目のネットワークは、その複数のネットワークのうちの１つ目のネットワークとは異なる。例えば、システム間転送コンポーネント１７０は、ＵＥ １６０が、複数のネットワークのうちの１つから離れ、複数のネットワークのうちのもう一方に近づいている場合、あるいは、ＬＴＥタイプのネットワークが検出され、それがセッション１６４をサービングするのにより好まれる場合、あるいは、ＵＥがネットワークのうちの１つにしか一度に送信できず、かつ、確立されたＰＳセッションを有するが、ＣＳセッションの確立を望む場合、ＣＳセッション１６２のためにサービングノードを維持すると同時に、ＰＳセッション１６４の転送を開始することを決定しうる。さらに、ある態様において、システム間転送コンポーネント１７０は、ハードウェアまたはソフトウェア、あるいは、それらのある組み合わせでありうる。
【００２６】
例えば、第１の使用事例の場合、システム間転送コンポーネント１７０は、ＵＥが、例えば、ＵＴＲＡＮ／ＧＥＲＡＮにおけるＣＳセッションおよびＥ−ＵＴＲＡＮにおけるＰＳセッションを両方とも同時にサポートしている可能性がある２つの受信機および２つの送信機のうちのそれぞれ１つを介して同時にアクティブなＥ−ＵＴＲＡＮおよびＧＥＲＡＮ／ＵＴＲＡＮ無線インターフェースを有し、ＵＥがＥ−ＵＴＲＡＮカバレッジから離れる場合、ＰＳセッション１６４の転送を開始することを決定しうる。このように、この使用事例の場合、Ｅ−ＵＴＲＡＮカバレッジから離れるため、ＰＳセッションの転送は、Ｅ−ＵＴＲＡＮネットワークからＵＴＲＡＮ／ＧＥＲＡＮネットワークへである。
【００２７】
さらに、例えば、第２の使用事例において、システム間転送コンポーネント１７０は、ＵＥが、例えば、ＵＴＲＡＮ／ＧＥＲＡＮにおいてＣＳセッションおよびＰＳセッションの両方をサポートしている可能性がある２つの受信機および２つの送信機のそれぞれ１つと関連付けられたＥ−ＵＴＲＡＮおよびＧＥＲＡＮ／ＵＴＲＡＮ無線インターフェースを有し、ＵＥがＥ−ＵＴＲＡＮカバレッジ内に移動する場合に、ＰＳセッション１６４の転送を開始することを決定しうる。このように、この使用事例の場合、Ｅ−ＵＴＲＡＮカバレッジ内に移動するため、ＰＳセッションの転送は、ＵＴＲＡＮ／ＧＥＲＡＮネットワークからＥ−ＵＴＲＡネットワークへである。
【００２８】
さらに、例えば、第３の使用事例の場合、システム間転送コンポーネント１７０は、ＵＥが、例えば、Ｅ−ＵＴＲＡＮにおいてＰＳセッションをサポートしている可能性がある２つの受信機および単一の送信機のうちのそれぞれ１つと（ＵＥが一度に１つのネットワークにしか送信できないように）関連付けられたＥ−ＵＴＲＡＮおよびＧＥＲＡＮ／ＵＴＲＡＮ無線インターフェースを有しうる場合、ＰＳセッション１６４の転送を開始することを決定しうる。ここにおいて、ＣＳセッションは、ＵＴＲＡＮ／ＧＥＲＡＮで開始される。例えば、ＣＳセッションは、ユーザがＵＥ上で呼出を発信することによって、あるいは、ネットワークがデバイスに対して指定されたＵＴＲＡＮ／ＧＥＲＡＮにおける呼出に基づいてＵＥをページングすることによって、開始されうる。このように、この使用事例の場合、Ｅ−ＵＴＲＡＮネットワークとＵＴＲＡＮ／ＧＥＲＡＮネットワークの両方のカバレッジ下にある間にＣＳセッションを開始するため、ＰＳセッションの転送は、Ｅ−ＵＴＲＡＮネットワークからＵＴＲＡＮ／ＧＥＲＡＮネットワークへである。
【００２９】
上述の使用事例が単なる例であること、並びに、ＰＳセッション１６４の転送を開始する際のシステム間転送コンポーネント１７０の機能が、これらの使用事例に制限されないことに注意されたい。
【００３０】
少なくとも上記の状況において、システム間転送コンポーネント１７０は、あるネットワークから別のネットワークへのＰＳセッション１６４の転送を引き起こすメッセージ１７２を生成し、ターゲットノードへの送信を開始するか、あるいは、ＵＥ１６０に、メッセージ１７２を生成させ、送信させうる。特に、メッセージ１７２は、ＬＴＥタイプのネットワークへのターゲットエリア更新（ＴＡＵ(target area update)）メッセージ、または、ＵＭＴＳ／ＧＳＭタイプのネットワークにおけるルーティンエリア更新（ＲＡＵ(routing area update)）メッセージのようなエリア更新メッセージであり、それは、第１のテクノロジタイプのネットワーク１２０または第２のテクノロジタイプのネットワーク１４０のうちのターゲットノードに対応する１つに、第１のテクノロジタイプのネットワーク１２０または第２のテクノロジタイプのネットワーク１４０のうちのサービングノードに対応する１つから、例えば、ＰＳセッション情報１６６のようなパケット交換セッションについての情報を取り出させ、サービングノードからターゲットノードへの、従って、１つのテクノロジタイプのネットワークから別のテクノロジタイプのネットワークへのＰＳセッション１６４の転送を達成する。例えば、ある態様において、ＰＳセッション１６４の転送は、サービングノードとのＣＳセッション１６２を維持すると同時に発生しうる。換言すると、ＵＥ １６０は、例えば、受信信号強度測定報告を生成し、サービングノードに送る代わりに、メッセージ１７２を生成し、ターゲットノードに送信しうる。
【００３１】
例えば、システム間転送コンポーネント１７０が、Ｅ−ＵＴＲＡＮカバレッジから離れることにより、Ｅ−ＵＴＲＡＮネットワークからＵＴＲＡＮ／ＧＥＲＡＮネットワークへのＰＳセッション１６４の転送を開始することを決定する、上記で論述される第１の使用事例において、メッセージ１７２は、ＳＧＳＮが、例えば、モビリティ管理エンティティ（ＭＭＥ）などのＥ−ＵＴＲＡＮネットワークのセッション管理ネットワークコンポーネントからＵＥのＰＳセッション情報を取り出すために、例えば、サービング・汎用パケット無線サービス（ＧＰＲＳ（General Packet Radio Service））サポートノード（ＳＧＳＮ）などのＵＭＴＳ／ＧＳＭタイプのネットワークにおけるセッション管理ネットワークコンポーネントに送られるルーティングエリア更新（ＲＡＵ）メッセージでありうる。
【００３２】
さらに、例えば、システム間転送コンポーネント１７０が、Ｅ−ＵＴＲＡＮカバレッジ内に移動することにより、ＵＴＲＡＮ／ＧＥＲＡＮネットワークからＥ−ＵＲＡＮネットワークへのＰＳセッション１６４の転送を開始することを決定する、上記で論述された第２の使用事例において、メッセージ１７２は、ＭＭＥが、例えば、ＳＧＳＮなど、ＵＭＴＳ／ＧＭＳタイプのネットワークにおけるセッション管理ネットワークコンポーネントからＵＥのＰＳセッション情報を取り出すために、例えば、ＭＭＥなどのＥ−ＵＴＲＡＮネットワークのセッション管理ネットワークコンポーネントに送られるターゲットエリア更新（ＴＡＵ）メッセージでありうる。
【００３３】
さらに、例えば、システム間転送コンポーネント１７０が、Ｅ−ＵＴＲＡＮネットワークとＵＴＲＡＮ／ＧＥＲＡＮネットワークの両方のカバレッジ下にある時のＣＳセッションの開始により、Ｅ−ＵＴＲＡＮネットワークからＵＴＲＡＮ／ＧＥＲＡＮネットワークへのＰＳセッション１６４の転送を開始することを決定する、上記で論述された第３の使用事例の場合、メッセージ１７２は、ＳＧＳＮが、例えば、ＭＭＥなどのＥ−ＵＴＲＡＮネットワークのセッション管理ネットワークコンポーネントからＵＥのＰＳセッション情報１６４を取り出すために、例えば、ＳＧＳＮなどのＵＭＴＳ／ＧＳＭタイプのネットワークにおいてセッション管理ネットワークコンポーネントに送られるＲＡＵメッセージでありうる。
【００３４】
こういうものとして、記述される態様は、サービングノードにおいてＵＥから受信された受信信号強度測定報告によってトリガされうるネットワーク始動のＰＳハンドオーバ手順よりもむしろ、ＵＥ始動のＰＳセッション１６４の転送を提供する。したがって、ある態様において、本願の装置および方法は、記述されるＵＥ始動のＰＳセッション１６４の転送が、ＵＥ １６０における変更だけによって、例えば、記述されたシステム間転送コンポーネント１７０を、および／または、ＰＳセッション１６４の転送がＵＥ １６０によって望まれうると決定された場合にエリア更新メッセージ１７２を送ることに関する上述された機能を、実施することによって、管理されうるという点でネットワーク側の動作に影響を及ぼさない。
【００３５】
図２に関して、ある態様において、通信セッションのシステム間転送を容易にするＵＥ １６０は、例えば、１または複数の受信アンテナ（示されない）からの１または複数の信号を聞き、そして受信し、受信された信号に対して典型的な動作（例えば、フィルタリング、増幅、ダウンコンバートなど）を実行し、調整された信号をデジタル化してサンプルを取得する１または複数の受信機または受信機システム２０２を含みうる。例えば、ある態様において、受信機または受信機システム２０２は、デュアル受信機を含みうる。ここで、第１の受信機は、第１のテクノロジタイプのネットワークからの通信を聞き、そして受信し、第２の受信機は、第１のテクノロジタイプのネットワークとは異なるテクノロジタイプのネットワークである第２のテクノロジタイプのネットワークからの通信を聞き、そして受信する。例えば、受信された通信は、上述されたようにＣＳセッションまたはＰＳセッションに関連し、および／または、受信された通信は、それぞれのネットワークとの通信セッションを確立することに関するパイロットまたは制御チャネル信号であり、あるいは、通信信号は、ネットワーク発見または捕捉に関係しうる。受信機２０２は、それぞれ、受信シンボルを復調し、チャネル推定のためにそれらをプロセッサ２０６に提供することができる復調器２０４を含みうる。プロセッサ２０６は、受信機２０２によって受信された情報を分析し、および／または、１または複数の送信機２１６による送信のために情報を生成すること専用のプロセッサ、ＵＥ １６０の１または複数のコンポーネントを制御するプロセッサ、および／または、受信機２０２によって受信された情報を分析し、送信機２１６による送信のために情報を生成することと、ＵＥ １６０の１または複数のコンポーネントを制御することとを両方行うプロセッサでありうる。ある態様において、例えば、プロセッサ２０６は、上述されたように、ＣＳセッションまたはＰＳセッションの一方、あるいは、両方を確立および維持しうる。さらなる態様において、プロセッサ２０６は、本明細書に記述されたように、ＰＳセッションを転送するために、システム間転送コンポーネント１７０と通信しうる。
【００３６】
ＵＥ １６０は、加えて、プロセッサ２０６に動作的に結合されて、送信されるべきデータ、受信されたデータ、アクティブデータネットワーク接続に関連した情報、および、アクティブデータネットワーク接続を管理し、通信チャネルを介して通信する任意の別の適切な情報を記憶することができるメモリ２０８を含みうる。
【００３７】
本明細書に記述されるメモリ２０８が、揮発性メモリあるいは不揮発性メモリのいずれかでありうること、あるいは、揮発性メモリと不揮発性メモリの両方を含みうることは認識されるであろう。それに限定されない例として、不揮発性メモリは、読み取り専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいは、フラッシュメモリを含みうる。揮発性メモリは、外部のキャッシュメモリとして機能するランダムアクセスメモリ（ＲＡＭ（登録商標））を含みうる。それに限定されない例として、ＲＡＭは、同期ＲＡＭ（ＳＲＡＭ）、動的ＲＡＭ（ＤＲＡＭ）、同期ＤＲＡＭ（ＳＤＲＡＭ）、ダブルデータレートＳＤＲＡＭ（ＤＤＲ ＳＤＲＡＭ）、エンハンスドＳＤＲＡＭ（ＥＳＤＲＡＭ）、シンクリンクＤＲＡＭ（ＳＬＤＲＡＭ）、および、ダイレクトランバスＲＡＭ（ＤＲＲＡＭ（登録商標））のような多様な形態で利用可能である。主題のシステムおよび方法のメモリ２０８は、これらのおよびあらゆる別の適切なタイプのメモリを含むがそれらに限定されない。
【００３８】
プロセッサ２０６は、さらに、ＵＥ １６０のための通信セッションのシステム間転送を管理しうるシステム間転送コンポーネント１７０に動作的に結合されうる。例えば、システム間転送コンポーネント１７０は、通信、または、ＰＳセッション１６４（図１）のようなその一部をＵＭＴＳ／ＧＳＭネットワークからＬＴＥネットワークに転送し、逆もまた同様である。システム間転送コンポーネント１７０は、例えば、エリア更新メッセージ１７２を介して、例えば、ターゲットネットワークのような、転送を受信するためのネットワークと関連付けられたコアネットワークエンティティにコンタクトすることによって、例えば、転送プロセスを開始しうる。例えば、ＵＭＴＳ／ＧＳＭ １２０からＬＴＥ １４０（図１）へのＰＳセッション１６４の転送の場合、システム間転送コンポーネント１７０は、ＬＴＥネットワーク１４０のＭＭＥ １４４への追跡エリア更新（ＴＡＵ）メッセージを備えるエリア更新メッセージ１７２を生成しうる。ＬＴＥ １４０からＵＭＴＳ／ＧＥＲＡＮ １２０へのＰＳセッショ１６４の転送の場合、システム間転送コンポーネント１７０は、ＵＭＴＳ／ＧＳＭネットワーク１２０のＳＧＳＮ １２６へのルーティングエリア更新（ＲＡＵ）メッセージを備えるエリア更新メッセージ１７２を生成しうる。さらに、システム間転送コンポーネント１７０は、本明細書に記述されるように、それぞれのテクノロジタイプのネットワークへのエリア更新メッセージ１７２の送信を開始するために送信機２１６と通信しうる。
【００３９】
ある態様において、例えば、システム間転送コンポーネント１７０は、ＰＳセッション１６４の転送が開始されるべきか否かを決定しうる転送決定器１７４を含みうる。システム間転送コンポーネント１７０が、ＰＳセッション１６４の転送を実行することを決定すると、システム間転送コンポーネント１７０は、上述されたように、エリア更新メッセージ１７２の生成および送信を引き起こして、転送を達成しうる。ある態様において、例えば、転送決定器１７４は、例えば、第１のネットワークパラメータ２１０および第２のネットワークパラメータ２１２のような１または複数のパラメータを、受信機２０２が信号を受信する各タイプのネットワークから検出する検出器２２０を含みうる。例えば、ある態様において、第１のネットワークパラメータ２１０および第２のネットワークパラメータ２１２は、第１のテクノロジタイプのネットワーク１２０、および、第２のテクノロジタイプのネットワーク１４０からの受信信号、あるいは、受信信号強度インジケータ（ＲＳＳＩ）とも呼ばれる受信された信号強度測定のような受信信号の特徴、第１のテクノロジタイプのネットワーク１２０および第２のテクノロジタイプのネットワーク１４０からの受信信号を含みうるがそれらに限定されない。ある態様において、転送決定器１７４は、単純に、第１のテクノロジタイプのネットワーク１２０または第２のテクノロジタイプのネットワーク１４０のうちの１つから信号を検出することに単に基づいてエリア更新メッセージ１７２を開始しうる。
【００４０】
さらに、ある態様において、転送決定器１７４は、エリア更新メッセージ１７２を開始するか否かを決定するために、検出された第１のネットワークパラメータ２１０および第２のネットワークパラメータ２１２、または、システム間転送コンポーネント１７０によって計算された別のパラメータを、１または複数の閾値２２４と比較する比較器２２２を含みうる。１または複数の閾値２２４は、最小信号強度、転送仮説値、あるいは、ＰＳセッションの転送を実行するか否かを決定する際に考慮されうる任意の別の閾値パラメータのような閾値のうちの１つまたは任意の組み合わせを含みうるがそれらに限定されない。さらに、例えば、システム間転送コンポーネント１７０によって計算される別のパラメータは、測定信号強度値などと関連付けられた時間期間のようなコンピュータパラメータを含みうるがそれらに限定されない。いずれの場合においても、比較器２２２は、それぞれの閾値とパラメータを比較し、閾値が満たされるか否かを決定しうる。結果として、そのような比較に依存して、転送決定器１７４は、エリア更新メッセージ１７２の生成および送信を開始することを決定しうる。
【００４１】
システム間転送コンポーネント１７０は、ＰＳセッション１６４の転送に基づいてネットワーク接続を閉じうる接続ターミネ−タ１７６をオプションとして含みうる。例えば、接続ターミネータ１７６は、例えば、サービングノードで潔くセッションをリリースするために、ターゲットノードへＰＳセッションを転送する決定に応じて、サービングノードにコマンド１７８を送信しうる。例えば、コマンド１７８は、無線リソース接続（ＲＲＣ(radio resource control)）リリースメッセージまたは非アクセス層（ＮＡＳ（non-access stratum））メッセージを含みうるが、それらに限定されない。
【００４２】
プロセッサ２０６から離れて描写されているが、システム間転送コンポーネント１７０、復調器２０４、および／または、変調器２１４が、プロセッサ２０６の一部または複数のプロセッサの一部でありうることは認識されるべきである。
【００４３】
図３を参照して、１つの態様では、パケット交換セッションの転送を開始するユーザ機器の方法は、システム間転送を含みうる。制限するものとして解釈されるべきでない１つの例において、システム間転送は、ＧＥＲＡＮ／ＵＴＲＡＮ １２８およびＥ−ＵＴＲＡＮ １４８との同時通信を有するＵＥ １６０について、Ｅ−ＵＴＲＡＮ １４８とＧＥＲＡＮ／ＵＴＲＡＮ１２８との間でありうる。これは、例えば、デュアル受信機２０２および送信機２１６を有するＵＥ １６０、および／または、デュアル受信機２０２および単一の送信機２１６を有するＵＥ １６０を含みうる。ＵＥ １６０が、ＵＥ上のデュアル通信インターフェースに対応する特定の無線テクノロジタイプのネットワークのカバレッジエリアに出入りすると、サービスを別の無線テクノロジタイプのネットワークに転送し、その結果、ＵＥの別の通信インターフェースに転送することが望まれうる。パケット交換（ＰＳ）サービスについて、これは、ネットワーク始動のＰＳハンドオーバ手順を介して典型的に行われる。しかしながら、上述されたように、デュアル送信機／受信機構成は、ネットワークが、パケット交換セッションと共に回線交換セッションを同時に有するデュアル送信機／受信機構成の能力を認識しない可能性があるため、ネットワークにおいて問題を引き起こす可能性がある。図３は、典型的なネットワーク始動のＰＳハンドオーバ手順に関するこれらおよび別の問題を克服するための一般的な方法３００を含む。
【００４４】
ある態様において、方法３００は、第１のテクノロジタイプのネットワークおよび第２のテクノロジタイプのネットワークからの通信を聞くことを含みうる（ブロック３０２）。例えば、第１のテクノロジタイプのネットワークおよび第２のテクノロジタイプのネットワークは、ＵＭＴＳ／ＧＳＭタイプのネットワーク１２０およびＬＴＥタイプのネットワーク１４０のような異なるテクノロジを含みうる。さらに、例えば、この通信は、上記で論述されたように、異なるネットワークの各々から受信機２０２によって受信される信号でありうる。例えば、この信号は、ネットワークにおいてノードを発見するためのパイロット信号の１または任意の組み合せ、および／または、それぞれのネットワークとのアクティブ接続またはセッションと関連付けられうる制御信号あるいはユーザデータ信号、または、ネットワーク発見および／または獲得に関連した信号でありうるが、それらに限定されない。さらに、例えば、いくつかの態様において、第１のテクノロジタイプのネットワークおよび第２のテクノロジタイプのネットワークからの通信を聞くことは、実質的に同じ時間に、例えば、同時に各ネットワークタイプからの通信を聞くことを含みうる。
【００４５】
さらに、方法３００は、第１のテクノロジタイプのネットワークと回線交換セッションを確立すること（ブロック３０４）、第１のテクノロジタイプのネットワークあるいは第２のテクノロジタイプのネットワークのうちの１つ目のネットワークのサービングノードとパケット交換セッションを確立すること（ブロック３０６）を含む。例えば、制限するものとして解釈されるべきではないある態様において、聞くこと（ブロック３０２）が、第１のテクノロジタイプのネットワーク１２０または第２のテクノロジタイプのネットワーク１４０のうちの１つまたは両方の発見および獲得に帰着する場合、ＵＥ １６０は、１または複数の通信セッションを確立しうる。しかしながら、通信セッションの確立が、聞くという動作（ブロック３０２）に依存しない可能性があることに注意されたい。例えば、ＵＥ １６０は、ネットワーク１２０または１４０のうちの同一の１つとＣＳセッション１６２およびＰＳセッション１６４の両方を確立するようにプロセッサ２０６を実行するか、あるいは、プロセッサ２０６は、ネットワーク１２０および１４０のうちの異なるネットワークとＣＳセッション１６２およびＰＳセッション１６４を確立しうる。例えば、ＵＥ １６０は、ＬＴＥネットワーク１４０のカバレッジエリア内にない場合に、ＵＭＴＳ／ＧＳＭタイプのネットワーク１２０とＣＳセッション１６２およびＰＳセッション１６４の両方を確立しうる。さらに、例えば、ＵＥ １６０は、ＵＥ １６０が両方のタイプのネットワークのカバレッジエリア内にある場合、例えば、ＵＥがＰＳセッションに対してＬＴＥネットワークを好む場合に、ＵＭＴＳ／ＧＳＭタイプのネットワーク１２０とのＣＳセッション１６２、および、ＬＴＥタイプのネットワーク１４０とのＰＳセッション１６４を確立しうる。加えて、例えば、ある態様において、プロセッサ２０６は、ＣＳセッション１６２およびＰＳセッション１６４と関連付けられたメッセージをそれぞれのネットワークに送信するために、変調器２１４および送信機２１６、並びに、通信プロトコルと命令を含みうるオプションとしてのメモリ２０８と共に動作する。さらに、プロセッサ２０６は、例えば、ＣＳセッション１６２およびＰＳセッション１６４と関連付けられたメッセージをそれぞれのネットワークへ送信するために、通信プロトコルを使用して通信するためのコードあるいは命令の全てまたは一部をさらに含みうる。
【００４６】
さらに、方法３００は、第１のテクノロジタイプのネットワークまたは第２のテクノロジタイプのネットワークのうちの２つ目のネットワークのターゲットノードへのパケット交換セッションの転送を決定すること（ブロック３０８）を含みうる。例えば、ターゲットノードおよびサービングノード、例えば、ノードＢ １３４、１３６、ｅノードＢ １５０は、第１のテクノロジタイプのネットワーク１２０および第２のテクノロジタイプのネットワーク１４０のうちの異なるネットワークに存在しうる。ある態様において、ＵＥ １６０は、ある無線インターフェースから別の無線インターフェースへのＰＳ接続１６４の移動が望ましいと決定する。例えば、上述されたように、この決定は、システム間転送コンポーネント１７０、および／または、転送決定器１７４によって行われうる。
【００４７】
例えば、ＵＥ １６０が、パケット交換（ＰＳ）セッション１６４のためにＥ−ＵＴＲＡＮ １４８においてアクティブ接続を、および、回線交換（ＣＳ）セッション１６２のためにＵＴＲＡＮ／ＧＥＲＡＮ １２８においてアクティブ接続を有し、且つ、ＵＥ １６０がＥ−ＵＴＲＡＮネットワーク１４８のカバレッジエリアから離れる場合、ＵＥ １６０は、Ｅ−ＵＴＲＡＮネットワーク１４８からＵＴＲＡＮ／ＧＥＲＡＮネットワーク１２８へのＰＳセッション１６４の転送を望みうる。さらに、例えば、この態様において、Ｓ−ＲＮＣ １３０は、元々ＵＥコンテキストを確立しており、それによって、ＵＥ １６０のＰＳセッション１６４についてのＰＳセッション情報１６６を制御しうる。しかしながら、ＵＥ １６０は、Ｓ−ＲＮＣ １３０と関連付けられた第１のノードＢ １３４のカバレッジエリアからＤ−ＲＮＣ １３２と関連付けられた新しいノードＢ １３６のカバレッジエリアに移動している可能性があり、それによって、ＵＥ １６０は、現在Ｄ−ＲＮＣ１３２によってサービス提供されている。
【００４８】
別の例として、ＵＥ １６０は、ＵＴＲＡＮタイプのネットワーク１２８において同時のＣＳおよびＰＳセッション１６２および１６４を有しうるが、Ｅ−ＵＴＲＡＮタイプのネットワーク１４８においてカバレッジが利用可能であることを、または、Ｅ−ＵＴＲＡＮタイプネットワーク１４８が、例えば、ＵＴＲＡＮタイプネットワーク１２８のそれよりも強い受信信号を有することに基づいて、より望ましいサービスを提供しうることを、決定し、それによって、ＰＳセッション１６４の転送を望ましものにする。
【００４９】
別の態様において、デュアル受信機２０２および単一の送信機２１６を有するＵＥ １６０の場合、ＵＥ １６０は、両方のテクノロジタイプのネットワーク１２０および１４０を同時に聞くことができるが、単一のネットワーク上でしか送信することができない。そういうものとして、システム間転送コンポーネント１７０は、ＵＥ １６０がＣＳセッション１６２の確立を望む場合に、ＰＳセッション１６４しかサポートしないＬＴＥタイプのネットワーク１４０から、ＰＳセッション１６４および望ましいＣＳセッション１６２の両方をサポートすることができるＵＭＴＳ／ＧＳＭタイプのネットワーク１２０へのＰＳセッション１６４の転送が望ましいことを決定しうる。
【００５０】
さらに、方法３００は、ＰＳセッションの転送を達成するために、ターゲットノードに、ユーザ機器によって、メッセージを送信すること（ブロック３１０）を含む。例えば、ある態様において、メッセージ１７２は、第１のテクノロジタイプのネットワーク１２０、あるいは、第２のテクノロジタイプのネットワーク１４０のうちのターゲットノード１３４、１３６、または、１５０に対応する１つ目のネットワークのセッション管理エンティティに、第１のテクノロジタイプのネットワーク１２０、または、第２のテクノロジタイプのネットワーク１４０のうちのサービングノード１３４、１３６、１５０に対応する２つ目のネットワークのセッション管理エンティティからパケット交換セッション１６４についての情報１６６を取り出させ、転送を達成させうる。例えば、ＵＥコンテキスト取出は、コアネットワークセッション管理エンティティ間で行われうる。例えば、ＵＥ １６０がＵＴＲＡＮ／ＧＥＲＡＮ １２８を通してＳＧＳＮ １２６に、あるいは、Ｅ−ＵＴＲＡＮ １４８を通してＭＭＥ １４４にエリア更新メッセージ１７２を送ることによって、ＳＧＳＮ １２６は、ＭＭＥ １４４からＰＳセッション情報１６６を取り出し、逆もまた同様である。換言すると、ある態様において、ＵＥ １６０は、第２のネットワーク１４０から第１のネットワーク１２０へのパケットセッション１６４の転送を開始するために、例えば、ターゲットネットワーク内のセッション管理エンティティなど、切り替え先のネットワークとコンタクトする。このように、ＵＥ １６０がＥ−ＵＴＲＡＮネットワーク１４８からＵＴＲＡＮネットワーク１２８へのＰＳセッション１６４の移動を望む場合、ＵＥ １６０は、この転送を開始するためにＳＧＳＮ １２６とコンタクトする。同様に、ＵＥ １６０がＵＴＲＡＮネットワーク１２８からＥ−ＵＴＲＡＮネットワーク１４８へのＰＳセッション１６４の移動を望む場合、ＵＥ １６０は、この転送を開始するためにＭＭＥ １４４とコンタクトしうる。これは、従来のネットワークベースのＰＳハンドオーバ処理と対照的である。ここにおいて、ＵＥ １６０は、例えば、ＰＳセッションを搬送しているアクティブ接続をＵＥが有するノードであるサービングノードＢあるいはサービングｅノードＢに典型的に測定レポートを送り、このネットワークはハンドオーバを開始する。
【００５１】
オプションとして、点線によって示されるように、方法３００は、さらに、転送の後にターゲットノードとのＰＳセッションを継続すること（ブロック３１２）を含みうる。例えば、プロセッサ２０６は、例えば、受信機２０２および送信機２１６と共に、ＰＳセッション１６４と関連付けられた通信を継続しうる。一般に、ＵＥがＰＳセッションの転送を開始すると、ＰＳセッションはターゲットノードと継続されるであろう。
【００５２】
さらに、オプションとして、あるいは、加えて、方法３００は、さらに、パケット交換セッションを切断するためのコマンドをサービングノードに送信すること（ブロック３１４）を含みうる。例えば、ある態様において、サービングノードへの接続を切断するためのコマンドの送信は、ターゲットノードへのメッセージの送信（ブロック３１２）前に生じうる。しかしながら、サービングノードへの接続を切断するためのコマンドの送信が、例えば、これらに限定されるわけではないが、ＵＥが完全にサービングノードのカバレッジの外に出る前、あるいは、ＰＳセッションの転送前など、いつでも生じうることに注意されたい。換言すると、ある態様において、ＵＥ １６０は、さらに、転送されているＰＳサービスのために前のサービングネットワークとのネットワーク接続を切断するためにコマンド１７８を発しうる。例えば、コマンド１７８は、コマンド１７８を受信するそれぞれのネットワークが、ＵＥ １６０との接続を潔くリリースすることを可能にする無線リソース接続（ＲＲＣ）リリースメッセージ、または、非アクセス層（ＮＡＳ）メッセージを含みうるが、それらに限定されない。
【００５３】
図４に関して、ＵＥ １６０が、Ｅ−ＵＴＲＡＮ１４８からＵＴＲＡＮ １２８へのＰＳセッションの転送の開始を決定すると、ＵＥ １６０、ＵＴＲＡＮ １２８、ＳＧＳＮ １２６、Ｅ−ＵＴＲＡＮ １４８、ＭＭＥ １４４の間での例示的なメッセージの交換が発生しうる。４２０において、ＵＥ １６０は、ＣＳセッション１６２のためのＵＴＲＡＮ １２８、および、ＰＳセッション１６４のためのＥ−ＵＴＲＡＮ １４８の両方においてアクティブである。ＵＥ １６０は、４２２において、Ｅ−ＵＴＲＡＮ １４８のカバレッジエリアの外に移動する。ある態様において、次に、ＵＥ １６０は、４２４において、例えば、ルーティンエリア更新（ＲＡＵ）要求などの更新メッセージ１７２を、ＳＧＳＮ １２６に送る。４２６において、ＲＡＵ要求は、例えば、ＰＳセッション情報１６６のようなＵＥコンテンツ情報を、例えば、通信リンク１５２を介して、Ｅ−ＵＴＲＡＮ １４８のＭＥＥ １４４から取り出すようにＳＧＳＮ １２６をトリガする。４２８において、Ｅ−ＵＴＲＡＮ １４８は、例えば、ＰＳセッション情報１６６のようなＵＥセッション情報をＳＧＳＮ １２６に送ることで応答する。
【００５４】
４３０において、例えば、ＰＳセッション情報１６６のようなＵＥセッション情報を受信することによって、ＳＧＳＮ １２６は、ＰＳセッション１６４を、Ｅ−ＵＴＲＡＮ １４８からＵＴＲＡＮ １２８に移動することができ、それによって、ＰＳセッション１６４の転送が行われる。結果、４３０において、ＵＥ １６０は、ＣＳセッション１６２およびＰＳセッション１６４の両方に対してＵＴＲＡＮ １２８においてアクティブである。
【００５５】
４３２または４３４において、ＵＥ １６０は、さらに、接続をリリースするためにＥ−ＵＴＲＡＮ １４８に向けてメッセージをオプションとして送りうる。例えば、４３２のメッセージまたは４３４のメッセージのいずれかは、ＵＥがＥ−ＵＴＲＡＮのカバレッジの外に移動する前に送信されうる。しかしながら、４３２のメッセージまたは４３４のメッセージが、例えば、これらに限定されるわけではないがＰＳセッションの転送前など、いつでも送信されうることに注意されたい。４３２または４３４のメッセージは、例えば、ＲＲＣリリースメッセージまたはＮＡＳメッセージを含むがそれらに限定されないコマンド１７８でありうる。
【００５６】
図５に関して、ＵＥ １６０がＵＴＲＡＮ １２８からＥ−ＵＴＲＡＮ １４８へのＰＳセッションの転送の開始を決定すると、ＵＥ １６０、ＵＴＲＡＮ １２８、ＳＧＳＮ １２６、Ｅ−ＵＴＲＡＮ １４８、ＭＭＥ １４４の間での例示的なメッセージの交換が生じうる。５２０で描写されるように、ＵＥ １６０は、ＵＴＲＡＮ １２８において、アクティブなＣＳおよびＰＳセッション１６２、１６４を同時に有しうる。ＵＥ １６０は、次に、５２２においてＥ−ＵＴＲＡＮ１４８のカバレッジエリアに移動し、ＵＴＲＡＮ １２８からＥ−ＵＴＲＡＮ １４８へのＰＳセッション１６４の転送が望ましいことを決定しうる。例えば、Ｅ−ＵＴＲＡＮ １４８は、ＵＴＲＡＮ １２８によって提供されるサービスと比較して、ＰＳセッションに対して改善されたサービスを提供しうる。
【００５７】
５２４において、ある態様では、ＵＥ １６０は、ＰＳセッション１６４を停止するためのメッセージをＳＧＳＮ １２６に送る。次に、ＵＥ １６０は、ＵＴＲＡＮ １２８でのＣＳセッション１６２を維持する一方で、５２６において、ＵＥ １６０が、ＰＳセッション１６４を搬送するためにＬＥＴネットワーク１４０／Ｅ−ＵＴＲＡＮ １４８を選択することを可能にするＬＴＥ再選択プロセスを実行する。５２８において、次に、ＵＥ １６０は、追跡エリア更新（ＴＡＵ）メッセージのようなメッセージ１７２をＭＭＥ １４４に発しうる。ＴＡＵメッセージは、５３０において、ＭＭＥ １４４に、ＳＧＳＮ １２６からＵＥコンテンツを取り出させる。５３２において、ＳＧＳＮ １２６は、例えば、ＰＳセッション情報１６６のような要求コンテンツ情報を提供することによってＭＭＥ １４４に応答する。結果として、５３４において、ＰＳセッション１６４は、ＬＥＴネットワーク１４０／Ｅ−ＵＴＲＡＮ １４８に転送され、ＵＥ １６０は、ＣＳセッション１６２のためのＵＴＲＡＮ １２８、および、ＰＳセッション１６４のためのＥ−ＵＴＲＡＮの両方においてアクティブである。
【００５８】
上記に表される例示的な呼出フロー図は、デュアル送信機およびデュアル受信機構成を有するＵＥに関するか、あるいは、デュアル受信機および単一の送信機で構成されたＵＥに対して等しく適用可能でありうる。
【００５９】
例えば、第３の使用事例で上述されたようなデュアル受信機および単一の送信機を有するＵＥの場合、ＵＥは、Ｅ−ＵＴＲＡＮおよびＵＴＲＡＮ／ＧＥＲＡＮの両方のカバレッジエリア内に存在しうる。ＵＥは、ＵＴＲＡＮ／ＧＥＲＡＮおよびＥ−ＵＴＲＡＮ上で同時に登録され、聞きうるが、一度に１つの無線アクセスネットワークしか送信することができない。ＵＥがＥ−ＵＴＲＡＮでのアクティブＰＳセッションを有すると同時に、ＵＥは、ＵＴＲＡＮ／ＧＥＲＡＮでのＣＳセッションの開始を望みうる。例えば、ＵＥは、ＵＴＲＡＮ／ＧＥＲＡＮでのＣＳ呼出についてのページを受信するか、あるいは、ＵＴＲＡＮ／ＧＥＲＡＮからのＣＳ呼出を行うことを望みうる。そういうものとして、ＵＥは、単一の送信機しか存在しないため、ＣＳ呼出を実行するためにＵＥ遷移（UE transition）を開始しうる。ＰＳセッションを維持しつつＵＴＲＡＮ／ＧＥＲＡＮ上でＣＳ呼出を実行するために、ＵＥは、ＵＴＲＡＮ／ＧＥＲＡＮとＲＡＵを実行し、それによって、ＳＧＳＮは、Ｅ−ＵＴＲＡＮにおいてＭＭＥからＰＳセッション情報を取り出し、ＰＳセッションをＵＴＲＡＮ／ＧＥＲＡＮに転送することができる。このように、ＵＥは、ＵＴＲＡＮ／ＧＥＲＮＡ上でＰＳセッションを継続し、ＲＲＣまたはＮＡＳメッセージ送ることによってＥ−ＵＴＲＡＮからＰＳセッションを切断し、それによって、ＣＳセッションがＵＴＲＡＮ／ＧＥＲＡＮ上に確立されることを可能にする。
【００６０】
図６に関して、１つの態様では、パケット交換セッションの転送のような通信セッションの転送を開始するための装置６００は、ユーザ機器、アクセス端末、あるいは、モバイルデバイスのうちの１つを含みうるが、それらに制限されない。プロセッサ、ソフトウェアあるいはその組合せ（例えばファームウェア）によって実施される機能を表わす機能ブロックでありうる機能ブロックを含むように装置６００が表わされることが認識されるべきである。
【００６１】
装置６００は、共に動作しうるコンポーネントあるいは手段の論理グルーピング６０１を含む。例えば、６０２において、論理グルーピング６０１は、第１のテクノロジタイプのネットワークおよび第２のテクノロジタイプのネットワークからの通信を聞くためのコンポーネントあるいは手段を含むことができる。例えば、いくつかの態様において、６０２における、第１のテクノロジタイプのネットワークおよび第２のテクノロジタイプのネットワークからの通信に聞くためのコンポーネントあるいは手段は、本質的に同じ時間に、例えば、同時に、各ネットワークからの通信を聞くことができる。１つの態様において、例えば、上述されるように、各タイプのネットワークからの通信を聞くためのコンポーネントあるいは手段は、ユーザ機器１６０の受信機または受信機システム２０２でありうる。
【００６２】
さらに、６０４および６０６において、論理グルーピング６０１は、第１のテクノロジタイプのネットワークと回線交換セッションを確立するためのコンポーネントあるいは手段、および、第１のテクノロジタイプのネットワークまたは第２のテクノロジタイプのネットワークのうちの１つ目のネットワークのサービングノードとパケット交換セッションを確立するためのコンポーネントあるいは手段をそれぞれ含みうる。１つの態様において、例えば、ＣＳセッションおよびＰＳセッションを確立するためのコンポーネントあるいは手段は、例えば、それぞれの通信プロトコルを実行する、ＵＥ １６０のプロセッサ２０６を含みうる。
【００６３】
加えて、６０８において、論理グルーピング６０１は、第１のテクノロジタイプのネットワークまたは第２のテクノロジタイプのネットワークのうちの２つ目のネットワークのターゲットノードへのパケット交換セッションの転送を決定するためのコンポーネントあるいは手段を含みうる。１つの態様において、例えば、パケット交換セッションの転送を決定するためのコンポーネントあるいは手段は、上述されたシステム間転送コンポーネント１７０、および／または、転送決定器１７４を含みうる。
【００６４】
さらに、６１０において、論理グルーピング６０１は、ターゲットノードにメッセージを送信するためのコンポーネントあるいは手段を含み、このメッセージは、第１のテクノロジタイプのネットワークまたは第２のテクノロジタイプのネットワークのうちのターゲットノードに対応する１つに、パケット交換セッションについての情報を取り出させる。１つの態様において、例えば、メッセージを送信するためのコンポーネントあるいは手段は、上述されるような、システム間転送コンポーネント１７０、および／または、転送決定器１７４、または、プロセッサ２０６、または、送信機２１６のうちの１または複数を含みうる。
【００６５】
加えて、装置６００は、コンポーネントまたは手段６０２、６０４、６０６、６０８、６１０と関連付けられた機能を実行するための命令を保持するメモリ６１２を含みうる。メモリ６１２の外側にあるように示されるが、コンポーネントまたは手段６０２、６０４、６０６、６０８、６１０のうちの１または複数が、メモリ６１２内に存在しうることは理解されるべきである。ある態様において、例えば、上述されたように、メモリ６１２は、ＵＥ １６０のメモリ２０８でありうる。
【００６６】
さらに、コンポーネントまたは手段６０２、６０４、６０６、６０８、６１０は、上述されたように、プロセッサ２０６のような１つのプロセッサあるいは複数のプロセッサ内のそれぞれの処理モジュールでありうる。
【００６７】
本明細書で使用されるように、「コンポーネント（component）」、「モジュール（module）」、「システム（system）」などの用語は、ハードウェア、ファームウェア、ハードウェアとファームウェアの組み合わせ、ソフトウェア、実行中のソフトウェアになどであるがそれらに限定されないコンピュータ関連エンティティを含むことが企図される。例えば、コンポーネントは、プロセッサ上で実行中のプロセス、プロセッサ、オブジェクト、実行ファイル、実行スレッド、プログラム、および／または、コンピュータでありうるが、それらに限定されない。例として、計算デバイス上で動作するアプリケーションと、この計算デバイスとは、コンポーネントでありうる。１または複数のコンポーネントは、プロセスおよび／または実行スレッド内に存在し、１つのコンポーネントは、１つのコンピュータ上にローカライズされ、および／または、２つ以上のコンピュータ間に分散される。加えて、これらのコンポーネントは、格納された様々なデータ構造を有する様々なコンピュータ可読媒体から実行することができる。コンポーネントは、例えば、ローカルシステム、分散システムの別のコンポーネントと、および／または、インターネットのようなネットワークにわたって信号経由で他のシステムと、インタラクトする１つのコンポーネントからのデータなど、１または複数のパケットを有する信号に従って、ローカルおよび／またはリモートプロセスを通して通信しうる。
【００６８】
さらに、有線端末または無線端末でありうるユーザ機器（ＵＥ）またはアクセス端末に関して様々な態様が本明細書に記述される。ＵＥは、システム、デバイス、加入者ユニット、加入者局、モバイル局、モバイル、モバイルデバイス、リモート局、リモート端末、アクセス端末、ユーザ端末、端末、通信デバイス、ユーザエージェント、または、ユーザデバイスとも呼ばれうる。ＵＥは、セルラ電話、衛星電話、コードレス電話、セッション開始プロトコル（ＳＩＰ）電話、無線ローカルループ（ＷＬＬ）局、携帯情報端末（ＰＤＡ）、無線接続機能を有するハンドヘルドデバイス、計算デバイス、無線モデムに接続された別の処理デバイスのような無線端末でありうる。さらに、ノードＢ、ｅノードＢ、または、基地局に関して、様々な態様が本明細書に記述される。ノードＢ、ｅノードＢ、基地局は、１または複数のＵＥと通信するために利用されうる。
【００６９】
さらに、「または（ｏｒ）」という用語は、排他的な「または」というよりは、むしろ、包括的な「または」を意味することが企図される。すなわち、別途記述されていない限り、あるいは、コンテンツから明確でない限り、「ＸはＡまたはＢを用いる（X employs A or B）」という表現は、あらゆる自然の包含的な順序を意味することが企図される。すなわち、「ＸはＡまたはＢを用いる」という表現は、次の例のいずれによっても満たされる：ＸはＡを用いる；ＸはＢを用いる；ＸはＡとＢの両方を用いる。加えて、「a」および「an」という冠詞は、本明細書および添付の特許請求の範囲で使用される場合、一般的に、単数形を指すことが別途明記されていないか、コンテンツから明確でない限り、「１または複数の（one or more）」を意味するように解釈されるべきである。
【００７０】
本明細書に記述される技術は、ＣＤＭＡ、ＴＤＭＡ、ＦＤＭＡ、ＯＦＤＭＡ、ＳＣ−ＦＤＭＡ、および、別のシステムのような様々な無線通信システムに対して使用されうる。「システム」および「ネットワーク」という用語は、交換可能に使用されることが多い。ＣＤＭＡシステムは、ユニバーサル地上無線アクセス（ＵＴＲＡ（Universal Terrestrial Radio Access））、ｃｄｍａ２０００などの無線テクノロジを実施しうる。ＵＴＲＡは、広域ＣＤＭＡ（Ｗ−ＣＤＭＡ）およびＣＤＭＡの他の変形を含む。さらに、ｃｄｍａ２０００は、ＩＳ−２０００、ＩＳ−９５、および、ＩＳ−８５６標準をカバーする。ＴＤＭＡシステムは、移動通信のためのグローバル・システム（ＧＳＭ（登録商標））のような無線テクノロジを実施しうる。ＯＦＤＭＡシステムは、進化したＵＴＲＡ（Ｅ−ＵＴＲＡ）、ウルトラモバイルブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、フラッシュＯＦＤＭ（登録商標）などのような無線テクノロジを実施しうる。ＵＴＲＡおよびＥ−ＵＴＲＡは、ユニバーサル・モバイル通信システム（ＵＭＴＳ）の一部である。３ＧＰＰロングタームエボリューション（ＬＴＥ）は、ダウンリンクではＯＦＤＭＡを、アップリンクではＳＣ−ＦＤＭＡを用いるＥ−ＵＴＲＡを使用するＵＭＴＳのリリースである。ＵＴＲＡ、Ｅ−ＵＴＲＡ、ＵＭＴＳ、ＬＴＥ、ＧＳＭは、「第３世代パートナーシッププロジェクト（３ＧＰＰ）」という名称の組織からの文書に記述されている。加えて、ｃｄｍａ２０００およびＵＭＢは、「第３世代パートナーシッププロジェクト２（３ＧＰＰ２）」という名称の組織からの文書に記述されている。さらに、そのような無線通信システムは、対ではない無認可のスペクトル、８０２ ．ｘｘ無線ＬＡＮ、ブルートゥース、および、あらゆる他の短距離または長距離の無線通信技術を使用することが多いピア・ツー・ピア（例えば、モバイル・ツー・モバイル）アドホックネットワークシステムをさらに含みうる。
【００７１】
多数のデバイス、コンポーネント、モジュールなどを含みうるシステムという観点から、様々な態様または特徴が上記に提示されている。様々なシステムが、追加のデバイス、コンポーネント、モジュール等を含みうること、および／または、図に関して論述されたデバイス、コンポーネント、モジュールなどの全てを含むわけではないことは理解および認識されるべきである。さらに、これらのアプローチの組み合わせも使用されうる。
【００７２】
本明細書に開示された実施形態と関連して記述された様々な実例となる論理、論理ブロック、モジュール、回路は、汎用プロセッサ、デジタル信号プロセッサ（ＤＳＰ）、特定用途向け集積回路（ＡＳＩＣ）、書替え可能ゲートアレイ（ＦＰＧＡ）または他のプログラマブル論理デバイス、ディスクリートゲートまたはトランジスタ論理、ディスクリートハードウェアコンポーネント、あるいは、本明細書に記述された機能を実行するよう設計されたこれらの任意の組み合わせと一緒に実施または実行される。汎用プロセッサはマイクロプロセッサであるが、代替で、このプロセッサは、あらゆる従来のプロセッサ、コントローラ、マイクロコントローラ、またはステートマシンでありうる。プロセッサは、さらに、例えば、ＤＳＰとマクロプロセッサの組み合わせ、複数のマイクロプロセッサ、ＤＳＰコアと連動した１または複数のマイクロプロセッサ、その他の上記構成の組み合わせといった計算デバイスの組み合わせとしても実施されうる。加えて、少なくとも１つのプロセッサは、上述されたステップおよび／または動作のうちの１または複数を実行するように動作可能な１または複数のモジュールを含みうる。
【００７３】
さらに、本明細書に開示された態様に関連して記述された方法またはアルゴリズムのステップおよび／または動作は、直接的にハードウェアに、プロセッサによって実行されるソフトウェアモジュールに、または、それら２つの組み合わせに、組み込まれうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または、当技術分野で周知の他の形態の記憶媒体に存在しうる。例示的な記憶媒体は、プロセッサが記憶媒体から情報を読み取り、記憶媒体に情報を書き込むことができるようにプロセッサに結合される。代替において、記憶媒体はプロセッサに一体化されうる。さらに、いくつかの態様において、プロセッサと記憶媒体はＡＳＩＣに存在しうる。加えて、ＡＳＩＣはユーザ端末に存在しうる。代替において、プロセッサと記憶媒体は、個別コンポーネントとして、ユーザ端末に存在しうる。加えて、いくつかの態様において、方法またはアルゴリズムのステップおよび／または動作は、コンピュータプログラムプロダクトへと組み込まれ、非一時的でありうる機械可読媒体および／またはコンピュータ可読媒体上のコードおよび／または命令のうちの１つ、または、それらの任意の組み合わせあるいはセットとして存在しうる。
【００７４】
１または複数の態様において、記述された機能は、ハードウェア、ソフトウェア、ファームウェア、あるいは、それらの組み合わせにおいて実施されうる。ソフトウェアにおいて実施された場合、その機能はコンピュータ可読媒体上の１または複数の命令またはコードとして記憶または送信されうる。コンピュータ可読媒体は、コンピュータ記憶媒体を含む。記憶媒体はコンピュータによりアクセスされることができる任意の利用可能な媒体でありうる。それに制限されない例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、コンピュータによってアクセスされることができ、命令やデータ構造の形で所望のプログラムコードを搬送または記憶するために使用されうる任意の別の媒体を含みうる。ディスク（ｄｉｓｋ）とディスク（ｄｉｓｃ）は、本明細書で使用される場合、コンパクトディスク（ＣＤ）、レーザディスク、光ディスク、デジタル多用途ディスク（ＤＶＤ）、フロッピー（登録商標）ディスク、ブルーレイ（登録商標）ディスクを含む。ディスク（ｄｉｓｋ）は通常磁気作用によってデータを再生し、ディスク（ｄｉｓｃ）はレーザーで光学的にデータを再生する。上記の組み合わせもコンピュータ可読媒体の範囲内に含まれるべきである。
【００７５】
前述の開示は、例示的な態様および／または実施形態を論述しているが、本明細書において、添付される特許請求の範囲によって定義されるような、記述された態様および／または実施形態の範囲を逸脱することなく様々な変更および修正が行われうることに注意されたい。さらに、記述された態様および／または実施形態のエレメントが単数形で記述または請求されるとしても、単数形への限定が明示的に述べられていない限り、複数形が企図される。加えて、任意の態様および／または実施形態の全てまたは一部は、別段言及されない限り、任意の別の態様および／または実施形態の全てまたは一部と共に利用されうる。
なお、本願の出願当初の請求項と同一の記載を以下に付記する。
［Ｃ１］  ユーザ機器（ＵＥ）が通信セッションのシステム間転送を開始するための方法であって、
第１のテクノロジタイプのネットワークおよび第２のテクノロジタイプのネットワークからの通信を聞くことと、ここにおいて、前記第１のテクノロジタイプのネットワークおよび前記第２のテクノロジタイプのネットワークは異なるテクノロジを備える、
前記第１のテクノロジタイプのネットワークと回線交換セッションを確立することと、
前記第１のテクノロジタイプのネットワークまたは前記第２のテクノロジタイプのネットワークのうちの１つ目のネットワークのサービングノードとパケット交換セッションを確立することと、
前記パケット交換セッションを、前記第１のテクノロジタイプのネットワークまたは前記第２のテクノロジタイプのネットワークのうちの２つ目のネットワークのターゲットノードに転送するように決定することと、ここにおいて、前記ターゲットノードおよび前記サービングノードは、異なるテクノロジタイプのネットワークに存在する、
前記ユーザ機器によって、メッセージを前記ターゲットノードに送信することと、ここで、前記メッセージは、前記転送を達成するために、前記第１のテクノロジタイプのネットワークまたは前記第２のテクノロジタイプのネットワークのうちの前記ターゲットノードに対応する１つに、前記第１のテクノロジタイプのネットワークまたは前記第２のテクノロジタイプのネットワークのうちの前記サービングノードに対応する１つから前記パケット交換セッションについての情報を取り出させる、
を備える方法。
［Ｃ２］  前記メッセージを前記ターゲットノードに送信することは、測定報告を前記サービングノードに送信する代わりに行われる、Ｃ１に記載の方法。
［Ｃ３］  前記メッセージを前記ターゲットノードに送信することは、前記パケット交換セッションの転送だけを引き起こし、前記パケット交換セッションの転送後に前記第１のテクノロジタイプのネットワークと前記回線交換セッションを維持することをさらに備える、Ｃ１に記載の方法。
［Ｃ４］  前記メッセージを前記ターゲットノードに送信することは、エリア更新メッセージを送信することをさらに備える、Ｃ１に記載の方法。
［Ｃ５］  前記エリア更新メッセージを送信することは、サービング・汎用パケット無線サービス（ＧＰＲＳ）サポートノード（ＳＧＳＮ）に向けられたルーティングエリア更新（ＲＡＵ）メッセージを送信することをさらに備える、Ｃ４に記載の方法。
［Ｃ６］  前記ＲＡＵメッセージは、さらに、前記ＳＧＳＮに、モビリティ管理エンティティ（ＭＭＥ）から前記パケット交換セッションについての情報を取り出させる、Ｃ５に記載の方法。
［Ｃ７］  前記エリア更新メッセージを送信することは、モビリティ管理エンティティ（ＭＭＥ）に向けられたターゲットエリア更新（ＴＡＵ）メッセージを送信することをさらに備える、Ｃ４に記載の方法。
［Ｃ８］  前記ＴＡＵメッセージは、さらに、前記ＭＭＥに、サービング・汎用パケット無線サービス（ＧＰＲＳ）サポートノード（ＳＧＳＮ）から前記パケット交換セッションについての情報を取り出させる、Ｃ７に記載の方法。
［Ｃ９］  前記パケット交換セッションを切断するためのコマンドを前記サービングノードに送信することをさらに備える、Ｃ１に記載の方法。
［Ｃ１０］  前記パケット交換セッションを切断するためのコマンドを前記サービングノードに送信することは、前記ターゲットノードに前記メッセージを送信する前または後のいずれかで前記コマンドを送信することをさらに備える、Ｃ９に記載の方法。
［Ｃ１１］  前記サービングノードに前記コマンドを送信することは、接続終了を達成する原因コードを有する無線リソース制御（ＲＲＣ）接続リリースメッセージ、または、非アクセス層（ＮＡＳ）メッセージを送信することをさらに備える、Ｃ９に記載の方法。
［Ｃ１２］  前記ターゲットノードおよび前記サービングノードは、前記第１のテクノロジタイプのネットワークおよび前記第２のテクノロジタイプのネットワークのうちの異なるネットワークに存在し、前記第１のテクノロジタイプのネットワークおよび前記第２のテクノロジタイプのネットワークからの通信を聞くことは、実質的に同時に各テクノロジタイプのネットワークを少なくとも部分的に聞くことをさらに備える、Ｃ１に記載の方法。
［Ｃ１３］  前記転送の後に前記ターゲットノードと前記パケット交換セッションを継続することをさらに備える、Ｃ１に記載の方法。
［Ｃ１４］  前記第１のテクノロジタイプのネットワークおよび前記第２のテクノロジタイプのネットワークは、ユニバーサル・モバイル通信システム（ＵＭＴＳ）タイプのネットワークおよびロングタームエボリューション（ＬＴＥ）タイプのネットワークから構成されるグループから選択される、Ｃ１に記載の方法。
［Ｃ１５］  前記第１のテクノロジタイプのネットワークおよび前記第２のテクノロジタイプのネットワークは、ユニバーサル地上無線アクセスネットワーク(ＵＴＲＡＮ)タイプのネットワーク、進化した地上無線アクセスネットワーク（Ｅ−ＵＴＲＡＮ）タイプのネットワーク、および、移動通信用のグローバル・システム（ＧＳＭ）発展のためのＧＳＭ拡張データレート（ＥＤＧＥ）・無線アクセスネットワーク（ＧＥＲＡＮ）タイプのネットワークから構成されるグループから選択される、Ｃ１に記載の方法。
［Ｃ１６］  ユーザ機器（ＵＥ）が通信セッションのシステム間転送を開始するためのプロセッサであって、
第１のテクノロジタイプのネットワークおよび第２のテクノロジタイプのネットワークからの通信を聞くための第１のプロセッサモジュールと、ここにおいて、前記第１のテクノロジタイプのネットワークおよび前記第２のテクノロジタイプのネットワークは異なるテクノロジを備える、
前記第１のテクノロジタイプのネットワークと回線交換セッションを確立するための第２のプロセッサモジュールと、
前記第１のテクノロジタイプのネットワークまたは前記第２のテクノロジタイプのネットワークのうちの１つ目のネットワークのサービングノードとパケット交換セッションを確立するための第３のプロセッサモジュールと、
前記パケット交換セッションを、前記第１のテクノロジタイプのネットワークまたは前記第２のテクノロジタイプのネットワークのうちの２つ目のネットワークのターゲットノードに転送することを決定するための第４のプロセッサモジュールと、ここにおいて、前記ターゲットノードおよび前記サービングノードは、異なるテクノロジタイプのネットワークに存在する、
前記ユーザ機器によって、メッセージを前記ターゲットノードに送信するための第５のプロセッサモジュールと、ここで、前記メッセージは、前記転送を達成するために、前記第１のテクノロジタイプのネットワークまたは前記第２のテクノロジタイプのネットワークのうちの前記ターゲットノードに対応する１つに、前記第１のテクノロジタイプのネットワークまたは前記第２のテクノロジタイプのネットワークのうちの前記サービングノードに対応する１つから前記パケット交換セッションについての情報を取り出させる、
を備えるプロセッサ。
［Ｃ１７］  前記第５のプロセッサモジュールは、測定報告を前記サービングノードに送信する代わりに、前記メッセージを前記ターゲットノードに送信する、Ｃ１６に記載のプロセッサ。
［Ｃ１８］  前記メッセージは、前記パケット交換セッションの転送だけを引き起こし、前記パケット交換セッションの転送後に前記第１のテクノロジタイプのネットワークと前記回線交換セッションを維持するための第６のプロセッサモジュールをさらに備える、Ｃ１６に記載のプロセッサ。
［Ｃ１９］  前記メッセージは、エリア更新メッセージを備える、Ｃ１６に記載のプロセッサ。
［Ｃ２０］  前記転送の後に前記ターゲットノードと前記パケット交換セッションを継続するために第６のプロセッサモジュールをさらに備える、Ｃ１６に記載のプロセッサ。
［Ｃ２１］  前記第１のテクノロジタイプのネットワークおよび前記第２のテクノロジタイプのネットワークは、ユニバーサル・モバイル通信システム（ＵＭＴＳ）タイプのネットワークおよびロングタームエボリューション（ＬＴＥ）タイプのネットワークから構成されるグループから選択される、Ｃ１６に記載のプロセッサ。
［Ｃ２２］  コンピュータ可読媒体を備え、ユーザ機器（ＵＥ）が通信セッションのシステム間転送を開始するためのコンピュータプログラムプロダクトであって、前記コンピュータ可読媒体は、
コンピュータに、第１のテクノロジタイプのネットワークおよび第２のテクノロジタイプのネットワークからの通信を聞かせるように動作可能な少なくとも１つの命令と、ここにおいて、前記第１のテクノロジタイプのネットワークおよび前記第２のテクノロジタイプのネットワークは異なるテクノロジを備える、
前記コンピュータに、前記第１のテクノロジタイプのネットワークと回線交換セッションを確立させるように動作可能な少なくとも１つの命令と、
前記コンピュータに、前記第１のテクノロジタイプのネットワークまたは前記第２のテクノロジタイプのネットワークのうちの１つ目のネットワークのサービングノードとパケット交換セッションを確立させるように動作可能な少なくとも１つの命令と、
前記コンピュータに、前記パケット交換セッションを、前記第１のテクノロジタイプのネットワークまたは前記第２のテクノロジタイプのネットワークのうちの２つ目のネットワークのターゲットノードに転送するように決定させるように動作可能な少なくとも１つの命令と、ここにおいて、前記ターゲットノードおよび前記サービングノードは、異なるテクノロジタイプのネットワークに存在する、
前記コンピュータに、前記ユーザ機器によって、メッセージを前記ターゲットノードに送信させるように動作可能な少なくとも１つの命令と、ここで、前記メッセージは、前記転送を達成するために、前記第１のテクノロジタイプのネットワークまたは前記第２のテクノロジタイプのネットワークのうちの前記ターゲットノードに対応する１つに、前記第１のテクノロジタイプのネットワークまたは前記第２のテクノロジタイプのネットワークのうちの前記サービングノードに対応する１つから前記パケット交換セッションについての情報を取り出させる、
を備える、コンピュータプログラムプロダクト。
［Ｃ２３］  前記コンピュータに、前記メッセージを送信させるように動作可能な少なくとも１つの命令は、測定報告を前記サービングノードに送信する代わりに、前記ターゲットノードへの前記メッセージの送信を引き起こす、Ｃ２２に記載のコンピュータプログラムプロダクト。
［Ｃ２４］  前記メッセージは、前記パケット交換セッションの転送だけを引き起こし、前記コンピュータに、前記パケット交換セッションの転送後に前記第１のテクノロジタイプのネットワークと前記回線交換セッションを維持させるように動作可能な少なくとも１つの命令をさらに備える、Ｃ２２に記載のコンピュータプログラムプロダクト。
［Ｃ２５］  前記メッセージは、エリア更新メッセージを備える、Ｃ２２に記載のコンピュータプログラムプロダクト。
［Ｃ２６］  前記コンピュータに、前記転送の後に前記ターゲットノードと前記パケット交換セッションを継続させるように動作可能な少なくとも１つの命令をさらに備える、Ｃ２２に記載のコンピュータプログラムプロダクト。
［Ｃ２７］  前記第１のテクノロジタイプのネットワークおよび前記第２のテクノロジタイプのネットワークは、ユニバーサル・モバイル通信システム（ＵＭＴＳ）タイプのネットワークおよびロングタームエボリューション（ＬＴＥ）タイプのネットワークから構成されるグループから選択される、Ｃ２２に記載のコンピュータプログラムプロダクト。
［Ｃ２８］  通信セッションのシステム間転送を開始するためのユーザ機器（ＵＥ）であって、
第１のテクノロジタイプのネットワークおよび第２のテクノロジタイプのネットワークからの通信を聞くための手段と、ここにおいて、前記第１のテクノロジタイプのネットワークおよび第２のテクノロジタイプのネットワークは異なるテクノロジを備える、
前記第１のテクノロジタイプのネットワークと回線交換セッションを確立するための手段と、
前記第１のテクノロジタイプのネットワークまたは前記第２のテクノロジタイプのネットワークのうちの１つ目のネットワークのサービングノードとパケット交換セッションを確立するための手段と、
前記パケット交換セッションを、前記第１のテクノロジタイプのネットワークまたは前記第２のテクノロジタイプのネットワークのうちの２つ目のネットワークのターゲットノードに転送することを決定するための手段と、ここにおいて、前記ターゲットノードおよび前記サービングノードは、異なるテクノロジタイプのネットワークに存在する、
メッセージを前記ターゲットノードに送信するための手段と、ここで、前記メッセージは、前記転送を達成するために、前記第１のテクノロジタイプのネットワークまたは前記第２のテクノロジタイプのネットワークのうちの前記ターゲットノードに対応する１つに、前記第１のテクノロジタイプのネットワークまたは前記第２のテクノロジタイプのネットワークのうちの前記サービングノードに対応する１つから前記パケット交換セッションについての情報を取り出させる、
を備えるＵＥ。
［Ｃ２９］  前記メッセージをターゲットノードに送信するための手段は、測定報告を前記サービングノードに送信する代わりに、前記ターゲットノードへの前記メッセージの送信を引き起こす、Ｃ２８に記載のＵＥ。
［Ｃ３０］  前記メッセージは、前記パケット交換セッションの転送だけを引き起こし、前記パケット交換セッションの転送後に前記第１のテクノロジタイプのネットワークと前記回線交換セッションを維持するための手段をさらに備える、Ｃ２８に記載のＵＥ。
［Ｃ３１］  前記メッセージは、エリア更新メッセージを備える、Ｃ２８に記載のＵＥ。
［Ｃ３２］  前記転送の後に前記ターゲットノードと前記パケット交換セッションを継続するための手段をさらに備える、Ｃ２８に記載のＵＥ。
［Ｃ３３］  前記第１のテクノロジタイプのネットワークおよび前記第２のテクノロジタイプのネットワークは、ユニバーサル・モバイル通信システム（ＵＭＴＳ）タイプのネットワークおよびロングタームエボリューション（ＬＴＥ）タイプのネットワークから構成されるグループから選択される、Ｃ２８に記載のＵＥ。
［Ｃ３４］  通信セッションのシステム間転送を開始するためのユーザ機器（ＵＥ）であって、
第１のテクノロジタイプのネットワークおよび第２のテクノロジタイプのネットワークからの通信を聞く受信機システムと、ここにおいて、前記第１のテクノロジタイプのネットワークおよび前記第２のテクノロジタイプのネットワークは異なるテクノロジを備える、
前記第１のテクノロジタイプのネットワークと回線交換セッションを確立し、前記第１のテクノロジタイプのネットワークまたは前記第２のテクノロジタイプのネットワークのうちの１つ目のネットワークのサービングノードとパケット交換セッションを確立するするプロセッサと、
前記パケット交換セッションを、前記第１のテクノロジタイプのネットワークまたは前記第２のテクノロジタイプのネットワークのうちの２つ目のネットワークのターゲットノードに転送することを決定するシステム間転送コンポーネントと、ここにおいて、前記ターゲットノードおよび前記サービングノードは、異なるテクノロジタイプのネットワークに存在する、
メッセージを前記ターゲットノードに送信する送信機と、ここで、前記メッセージは、前記転送を達成するために、前記第１のテクノロジタイプのネットワークまたは前記第２のテクノロジタイプのネットワークのうちの前記ターゲットノードに対応する１つに、前記第１のテクノロジタイプのネットワークまたは前記第２のテクノロジタイプのネットワークのうちの前記サービングノードに対応する１つから前記パケット交換セッションについての情報を取り出させる、
を備えるＵＥ。
［Ｃ３５］  前記システム間転送コンポーネントは、測定報告を前記サービングノードに送信する代わりに、前記ターゲットノードへの前記メッセージの送信を開始する、Ｃ３４に記載のＵＥ。
［Ｃ３６］  前記メッセージは、前記パケット交換セッションの転送だけを引き起こし、前記プロセッサは、さらに、前記パケット交換セッションの転送後に前記第１のテクノロジタイプのネットワークと前記回線交換セッションを維持するためのものである、Ｃ３４に記載のＵＥ。
［Ｃ３７］  前記メッセージは、エリア更新メッセージをさらに備える、Ｃ３４に記載のＵＥ。
［Ｃ３８］  前記エリア更新メッセージは、サービング・汎用パケット無線サービス（ＧＰＲＳ）サポートノード（ＳＧＳＮ）に向けられたルーティングエリア更新（ＲＡＵ）メッセージをさらに備える、Ｃ３７に記載のＵＥ。
［Ｃ３９］  前記ＲＡＵメッセージは、さらに、前記ＳＧＳＮに、モビリティ管理エンティティ（ＭＭＥ）から前記パケット交換セッションについての情報を取り出させる、Ｃ３８に記載のＵＥ。
［Ｃ４０］  前記エリア更新メッセージは、モビリティ管理エンティティ（ＭＭＥ）に向けられたターゲットエリア更新（ＴＡＵ）メッセージをさらに備える、Ｃ３７に記載のＵＥ。
［Ｃ４１］  前記ＴＡＵメッセージは、さらに、前記ＭＭＥに、サービング・汎用パケット無線サービス（ＧＰＲＳ）サポートノード（ＳＧＳＮ）から前記パケット交換セッションについての情報を取り出させる、Ｃ４０に記載のＵＥ。
［Ｃ４２］  前記システム間転送コンポーネントは、前記パケット交換セッションを切断するためのコマンドを前記サービングノードに送信するためのものである、Ｃ３４に記載のＵＥ。
［Ｃ４３］  前記システム間転送コンポーネントは、前記ターゲットノードに前記メッセージを送信する前または後のいずれかで前記コマンドを前記サービングノードに送信するためのものである、Ｃ４２に記載のＵＥ。
［Ｃ４４］  前記コマンドは、接続終了を達成する原因コードを有する無線リソース制御（ＲＲＣ）接続リリースメッセージ、または、非アクセス層（ＮＡＳ）メッセージのいずれかをさらに備える、Ｃ４２に記載のＵＥ。
［Ｃ４５］  前記ターゲットノードおよび前記サービングノードは、前記第１のテクノロジタイプのネットワークおよび前記第２のテクノロジタイプのネットワークのうちの異なるネットワークに存在し、前記第１のテクノロジタイプのネットワークおよび前記第２のテクノロジタイプのネットワークからの前記通信の少なくとも一部は、実質的に同時に各テクノロジタイプのネットワークから受信される、Ｃ３４に記載のＵＥ。
［Ｃ４６］  前記プロセッサは、前記転送の後に前記ターゲットノードと前記パケット交換セッションを継続する、Ｃ３４に記載のＵＥ。
［Ｃ４７］  前記第１のテクノロジタイプのネットワークおよび前記第２のテクノロジタイプのネットワークは、ユニバーサル・モバイル通信システム（ＵＭＴＳ）タイプのネットワークおよびロングタームエボリューション（ＬＴＥ）タイプのネットワークから構成されるグループから選択される、Ｃ３４に記載のＵＥ。
［Ｃ４８］  前記第１のテクノロジタイプのネットワークおよび前記第２のテクノロジタイプのネットワークは、ユニバーサル地上無線アクセスネットワーク（ＵＴＲＡＮ）タイプのネットワーク、進化した地上無線アクセスネットワーク（Ｅ−ＵＴＲＡＮ）タイプのネットワーク、および、移動通信用のグローバル・システム（ＧＳＭ）発展のためのＧＳＭ拡張データレート（ＥＤＧＥ）・無線アクセスネットワーク（ＧＥＲＡＮ）タイプのネットワークから構成されるグループから選択される、Ｃ３４に記載のＵＥ。
【図１】
0005519030.tif 000002
【図２】
0005519030.tif 000003
【図３】
0005519030.tif 000004
【図４】
0005519030.tif 000005
【図５】
0005519030.tif 000006
【図６】
0005519030.tif 000007